(57)【要約】  本発明は、参照信号（ＲＳ）の決定方法、ネットワーク機器、ユーザ機器（ＵＥ）及びコンピュータ記憶媒体を開示し、前記方法は、Ｎ（１以上の整数）個の制御リソースセットをＵＥに設定し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なるステップと、前記Ｋ個のＴＣＩ情報のうちの少なくとも１つのＲＳを前記ＵＥに指示するステップと、を含む。
2021520654.tif 000002
【特許請求の範囲】
【請求項１】
ネットワーク機器に適用される参照信号ＲＳの決定方法であって、Ｎ（１以上の整数）個の制御リソースセットをＵＥに設定し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なるステップと、
前記Ｋ個のＴＣＩ情報のうちの少なくとも１つのＲＳを前記ＵＥに指示するステップと、を含む、参照信号ＲＳの決定方法。
【請求項２】
ＵＥがＰＤＣＣＨを検出するためのＭ個のサーチスペースをＵＥに設定し、かつ前記少なくとも一部の制御リソースセットが前記Ｍ個のサーチスペースのうちの少なくとも１つのサーチスペースに関連付けられるステップをさらに含む請求項１に記載の方法。
【請求項３】
前記の前記Ｋ個のＴＣＩ情報のうちの少なくとも１つのＲＳを前記ＵＥに指示することは、
前記Ｋ個のＴＣＩ情報のうち、ＭＡＣ  ＣＥシグナリングによって有効化されたＴＣＩ情報が指示するＲＳを指示すること、及び
前記Ｋ個のＴＣＩ情報のうち、ＤＣＩによって指示されたＴＣＩ情報が指示するＲＳを指示すること、のいずれか一方を含む請求項１又は２に記載の方法。
【請求項４】
少なくとも２つのＲＳ情報に対応するＱＣＬ情報をＴＣＩに指示するステップをさらに含み、
ただし、少なくとも２つのＲＳ情報が指示するＲＳは同じ又は異なり、かつ異なるＲＳ情報が異なるＱＣＬパラメータタイプに対応する請求項１又は２に記載の方法。
【請求項５】
前記の前記Ｋ個のＴＣＩ情報のうちの少なくとも１つのＲＳを前記ＵＥに指示することは、
前記Ｋ個のＴＣＩのうちの１つの目標ＴＣＩ情報を前記ＵＥに指示し、かつ目標ＴＣＩが指示するＲＳを用いるようにＵＥに指示することを含む請求項１又は４に記載の方法。
【請求項６】
前記の目標ＴＣＩにおける１つのＲＳを用いるようにＵＥに指示することは、
前記目標ＴＣＩに含まれる少なくとも２つのＲＳのうち、スペースＱＣＬパラメータに対応するＲＳを用いること、
前記目標ＴＣＩに含まれる少なくとも２つのＲＳのうち、スペースＱＣＬパラメータに対応しないＲＳを用いること、
前記目標ＴＣＩに含まれる少なくとも２つのＲＳのうち、ＵＥにＲＳを選択させること、
前記目標ＴＣＩに含まれる少なくとも２つのＲＳのうち、ＲＳの番号によって用いられるＲＳを決定すること、及び
前記目標ＴＣＩに含まれる少なくとも２つのＲＳのうち、設定シグナリングにおけるＲＳの位置によって用いられるＲＳを決定すること、のいずれかを含む請求項５に記載の方法。
【請求項７】
前記ＲＳは、それを測定することによってその対応するＰＤＣＣＨに対応するリンクの品質が所定の閾値を満たすか否かを決定するために用いられる請求項１〜６のいずれか一項に記載の方法。
【請求項８】
ＵＥに適用される参照信号ＲＳの決定方法であって、
ネットワーク側がＵＥに設定したＮ（１以上の整数）個の制御リソースセットを受信し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なるステップと、
ネットワーク側が前記ＵＥに指示した前記Ｋ個のＴＣＩ情報のうちの少なくとも１つのＲＳを受信するステップと、を含む、参照信号ＲＳの決定方法。
【請求項９】
ネットワーク側がＵＥに設定したＭ個のサーチスペースを受信し、かつ前記少なくとも一部の制御リソースセットが前記Ｍ個のサーチスペースのうちの少なくとも１つのサーチスペースに関連付けられるステップと、
設定した前記Ｍ個のサーチスペースに基づき、ＰＤＣＣＨを検出するステップと、をさらに含む請求項８に記載の方法。
【請求項１０】
前記のネットワーク側が前記ＵＥに指示した前記Ｋ個のＴＣＩ情報のうちの少なくとも１つのＲＳを受信することは、
ネットワーク側がＭＡＣ  ＣＥシグナリングによって有効化された、前記Ｋ個のＴＣＩ情報のうちの１つのＴＣＩ情報が指示するＲＳを受信すること、及び
ネットワーク側がＤＣＩによって有効化された、前記Ｋ個のＴＣＩ情報のうちの１つのＴＣＩ情報が指示するＲＳを受信すること、のいずれか一方を含む請求項８又は９に記載の方法。
【請求項１１】
ネットワーク側がＴＣＩに指示した、少なくとも２つのＲＳ情報に対応するＱＣＬ情報を受信するステップをさらに含み、
ただし、少なくとも２つのＲＳ情報が指示するＲＳは同じ又は異なり、かつ異なるＲＳ情報が異なるＱＣＬパラメータタイプに対応する請求項８又は９に記載の方法。
【請求項１２】
前記のネットワーク側が前記ＵＥに指示した前記Ｋ個のＴＣＩ情報のうちの少なくとも１つのＲＳを受信することは、
ネットワーク側が前記ＵＥに指示した前記Ｋ個のＴＣＩのうちの１つの目標ＴＣＩ情報を受信すること、及び前記ネットワーク側がＵＥに用いるように指示した目標ＴＣＩが指示する１つのＲＳを受信することを含む請求項８又は１１に記載の方法。
【請求項１３】
前記の前記ネットワーク側が目標ＴＣＩのうちの１つのＲＳを用いるようにＵＥに指示することは、
前記目標ＴＣＩに含まれる少なくとも２つのＲＳのうち、スペースＱＣＬパラメータに対応するＲＳを用いること、
前記目標ＴＣＩに含まれる少なくとも２つのＲＳのうち、スペースＱＣＬパラメータに対応しないＲＳを用いること、
前記目標ＴＣＩに含まれる少なくとも２つのＲＳのうち、ＵＥが自らＲＳを選択すること、
前記目標ＴＣＩに含まれる少なくとも２つのＲＳのうち、ＲＳの番号によって用いるＲＳを決定すること、及び
前記目標ＴＣＩに含まれる少なくとも２つのＲＳのうち、設定シグナリングにおけるＲＳの位置によって用いられるＲＳを決定すること、のいずれかを含む請求項１２に記載の方法。
【請求項１４】
前記ＲＳは、それを測定することによってその対応するＰＤＣＣＨに対応するリンクの品質が所定の閾値を満たすか否かを決定するために用いられる請求項８〜１３のいずれか一項に記載の方法。
【請求項１５】
ネットワーク機器であって、
Ｎ（１以上の整数）個の制御リソースセットをＵＥに設定し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なり、前記Ｋ個のＴＣＩ情報のうちの少なくとも１つのＲＳを前記ＵＥに指示する第１の通信ユニットを含む、ネットワーク機器。
【請求項１６】
前記第１の通信ユニットは、ＵＥがＰＤＣＣＨを検出するためのＭ個のサーチスペースをＵＥに設定し、かつ前記少なくとも一部の制御リソースセットが前記Ｍ個のサーチスペースのうちの少なくとも１つのサーチスペースに関連付けられる請求項１５に記載のネットワーク機器。
【請求項１７】
前記第１の通信ユニットは、
前記Ｋ個のＴＣＩ情報のうち、ＭＡＣ  ＣＥシグナリングによって有効化されたＴＣＩ情報が指示するＲＳ、及び
前記Ｋ個のＴＣＩ情報のうち、ＤＣＩによって指示されたＴＣＩ情報が指示するＲＳのいずれか一方を含む請求項１５又は１６に記載のネットワーク機器。
【請求項１８】
前記第１の通信ユニットは、少なくとも２つのＲＳ情報に対応するＱＣＬ情報をＴＣＩに指示し、
ただし、少なくとも２つのＲＳ情報が指示するＲＳは同じ又は異なり、かつ異なるＲＳ情報が異なるＱＣＬパラメータタイプに対応する請求項１５又は１６に記載のネットワーク機器。
【請求項１９】
前記第１の通信ユニットは、前記Ｋ個のＴＣＩのうちの１つの目標ＴＣＩ情報を前記ＵＥに指示し、かつ目標ＴＣＩが指示するＲＳを用いるようにＵＥに指示する請求項１５又は１８に記載のネットワーク機器。
【請求項２０】
前記第１の通信ユニットは、
前記目標ＴＣＩに含まれる少なくとも２つのＲＳのうち、スペースＱＣＬパラメータに対応するＲＳを用いること、
前記目標ＴＣＩに含まれる少なくとも２つのＲＳのうち、スペースＱＣＬパラメータに対応しないＲＳを用いること、
前記目標ＴＣＩに含まれる少なくとも２つのＲＳのうち、ＵＥにＲＳを選択させること、
前記目標ＴＣＩに含まれる少なくとも２つのＲＳのうち、ＲＳの番号によって用いられるＲＳを決定すること、及び
前記目標ＴＣＩに含まれる少なくとも２つのＲＳのうち、設定シグナリングにおけるＲＳの位置によって用いられるＲＳを決定すること、のいずれかを含む請求項１９に記載のネットワーク機器。
【請求項２１】
前記ＲＳは、それを測定することによってその対応するＰＤＣＣＨに対応するリンクの品質が所定の閾値を満たすか否かを決定するために用いられる請求項１５〜２０のいずれか一項に記載のネットワーク機器。
【請求項２２】
ユーザ機器ＵＥであって、ネットワーク側がＵＥに設定したＮ（１以上の整数）個の制御リソースセットを受信し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なり、ネットワーク側が前記ＵＥに指示した前記Ｋ個のＴＣＩ情報のうちの少なくとも１つのＲＳを受信する第２の通信ユニットを含む、ＵＥ。
【請求項２３】
設定した前記Ｍ個のサーチスペースに基づき、ＰＤＣＣＨを検出する第２の処理ユニットをさらに含み、
前記第２の通信ユニットは、ネットワーク側が設定したＭ個のサーチスペースを受信し、かつ前記少なくとも一部の制御リソースセットが前記Ｍ個のサーチスペースのうちの少なくとも１つのサーチスペースに関連付けられる請求項２２に記載のＵＥ。
【請求項２４】
前記第２の通信ユニットは、
ネットワーク側がＭＡＣ  ＣＥシグナリングによって有効化された、前記Ｋ個のＴＣＩ情報のうちの１つのＴＣＩ情報が指示するＲＳを受信すること、及び
ネットワーク側がＤＣＩによって有効化された、前記Ｋ個のＴＣＩ情報のうちの１つのＴＣＩ情報が指示するＲＳを受信すること、のいずれか一方を含む請求項２２又は２３に記載のＵＥ。
【請求項２５】
前記第２の通信ユニットは、ネットワーク側がＴＣＩに指示した、少なくとも２つのＲＳ情報に対応するＱＣＬ情報を受信し、
ただし、少なくとも２つのＲＳ情報が指示するＲＳは同じ又は異なり、かつ異なるＲＳ情報が異なるＱＣＬパラメータタイプに対応する請求項２２又は２３に記載のＵＥ。
【請求項２６】
前記第２の通信ユニットは、
ネットワーク側が指示した前記Ｋ個のＴＣＩのうちの１つの目標ＴＣＩ情報を受信し、及び前記ネットワーク側が用いるように指示した目標ＴＣＩが指示する１つのＲＳを受信する請求項２２又は２５に記載のＵＥ。
【請求項２７】
前記目標ＴＣＩに含まれる少なくとも２つのＲＳのうち、スペースＱＣＬパラメータに対応するＲＳを用いること、
前記目標ＴＣＩに含まれる少なくとも２つのＲＳのうち、スペースＱＣＬパラメータに対応しないＲＳを用いること、
前記目標ＴＣＩに含まれる少なくとも２つのＲＳのうち、自らＲＳを選択すること、
前記目標ＴＣＩに含まれる少なくとも２つのＲＳのうち、ＲＳの番号によって用いられるＲＳを決定すること、及び
前記目標ＴＣＩに含まれる少なくとも２つのＲＳのうち、設定シグナリングにおけるＲＳの位置によって用いられるＲＳを決定すること、のいずれかを実行するための第２の処理ユニットをさらに含む請求項２６に記載のＵＥ。
【請求項２８】
前記ＲＳは、それを測定することによってその対応するＰＤＣＣＨに対応するリンクの品質が所定の閾値を満たすか否かを決定するために用いられる請求項２２〜２７のいずれか一項に記載のＵＥ。
【請求項２９】
ネットワーク機器であって、
プロセッサと、
プロセッサ上で実行可能なコンピュータプログラムを記憶するためのメモリと、を含み、
前記プロセッサは、前記コンピュータプログラムを実行するとき、請求項１〜７のいずれか一項に記載の方法のステップを実行するためのものである、ネットワーク機器。
【請求項３０】
ＵＥであって、
プロセッサと、
プロセッサ上で実行可能なコンピュータプログラムを記憶するためのメモリと、を含み、
前記プロセッサは、前記コンピュータプログラムを実行するとき、請求項８〜１４のいずれか一項に記載の方法のステップを実行するためのものである、ＵＥ。
【請求項３１】
コンピュータ記憶媒体であって、
コンピュータ実行可能命令が記憶され、前記コンピュータ実行可能命令が実行されるとき、請求項１〜１４のいずれか一項に記載の方法のステップを達成する、コンピュータ記憶媒体。
【発明の詳細な説明】
【技術分野】
【０００１】
本発明は、情報処理技術分野に関し、特に、参照信号（ＲＳ）の決定方法、ネットワーク機器、ユーザ機器（ＵＥ）及びコンピュータ記憶媒体に関する。
【背景技術】
【０００２】
従来、ビーム障害検出を実行するために、ＵＥはＰＤＣＣＨに対応する参照信号（例えば、ＣＳＩ−ＲＳ、ＳＳ／ＰＢＣＨ  ｂｌｏｃｋなど）を測定する必要があり、以下のような２つの方法が知られている。方法１としては、ＵＥは、ネットワークが設定した１組のＲＳをｂｅａｍ  ｆａｉｌｕｒｅ  ｄｅｔｅｃｔｉｏｎの測定信号として使用する。方法２としては、ネットワークが設定していない場合（即ち方法１を使用しない）、ＵＥ自体が準直交関係（ＱＣＬ）によって１組のＲＳをｂｅａｍ  ｆａｉｌｕｒｅ  ｄｅｔｅｃｔｉｏｎの測定信号として決定する。
【０００３】
方法２については、従来の解決策には幾つかの問題点がある。１つの制御リソースセット（ＣＯＲＥＳＥＴ、Ｃｏｎｔｒｏｌ  Ｒｅｓｏｕｒｃｅ  Ｓｅｔ）の設定には複数の伝送設定指示（ＴＣＩ、ｔｒａｎｓｍｉｓｓｉｏｎ  ｃｏｎｆｉｇｕｒａｔｉｏｎ  ｉｎｄｉｃａｔｉｏｎ）ｓｔａｔｅｓが含まれる可能性があり、ＵＥが各ＴＣＩ  ｓｔａｔｅｓに指示されたＲＳ信号すべてをｂｅａｍ  ｆａｉｌｕｒｅ  ｄｅｔｅｃｔｉｏｎの測定ＲＳ信号として使用する必要がある場合、２つの問題が生じる。１つの問題はＵＥの複雑さが増すことであり、もう１つの問題は一部のＴＣＩ  ｓｔａｔｅｓに指示されたＱＣＬに関連付けられたｂｅａｍが現在のＰＤＣＣＨの伝送に使用されていないため、このｂｅａｍに対応する参照信号を測定することでＰＤＣＣＨの伝送品質を真に表現することができないことである。
【発明の概要】
【発明が解決しようとする課題】
【０００４】
上記技術的問題を解決するために、本発明の実施例は、参照信号（ＲＳ）の決定方法、ネットワーク機器、ユーザ機器（ＵＥ）及びコンピュータ記憶媒体を提供する。
【課題を解決するための手段】
【０００５】
本発明の実施例は、Ｎ（１以上の整数）個の制御リソースセットをＵＥに設定し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なるステップと、
前記Ｋ個のＴＣＩ情報のうちの少なくとも１つのＲＳを前記ＵＥに指示するステップと、
を含むネットワーク機器に適用される参照信号ＲＳの決定方法を提供する。
【０００６】
本発明の実施例は、ネットワーク側がＵＥに設定したＮ（１以上の整数）個の制御リソースセットを受信し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なるステップと、
ネットワーク側が前記ＵＥに指示した前記Ｋ個のＴＣＩ情報のうちの少なくとも１つのＲＳを受信するステップと、
を含むＵＥに適用される参照信号ＲＳの決定方法を提供する。
【０００７】
本発明の実施例は、Ｎ（１以上の整数）個の制御リソースセットをＵＥに設定し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なり、前記Ｋ個のＴＣＩ情報のうちの少なくとも１つのＲＳを前記ＵＥに指示する第１の通信ユニットを含むネットワーク機器を提供する。
【０００８】
本発明の実施例は、ネットワーク側がＵＥに設定したＮ（１以上の整数）個の制御リソースセットを受信し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なり、ネットワーク側が前記ＵＥに指示した前記Ｋ個のＴＣＩ情報のうちの少なくとも１つのＲＳを受信する第２の通信ユニットを含むＵＥを提供する。
【０００９】
本発明の実施例に係るネットワーク機器は、
プロセッサと、
プロセッサ上で実行可能なコンピュータプログラムを記憶するためのメモリと、を含み、
前記プロセッサは前記コンピュータプログラムを実行するとき、前述した方法のステップを実行するためのものである。
【００１０】
本発明の実施例に係るＵＥは、
プロセッサと、
プロセッサ上で実行可能なコンピュータプログラムを記憶するためのメモリと、を含み、
前記プロセッサは前記コンピュータプログラムを実行するとき、前述した方法のステップを実行するためのものである。
【００１１】
本発明の実施例に係るコンピュータ記憶媒体は、コンピュータ実行可能命令を記憶し、前記コンピュータ実行可能命令が実行されるとき、前述した方法のステップを達成する。
【発明の効果】
【００１２】
本発明の実施例の技術的解決手段によれば、制御リソースセットをＵＥに設定する際に、一部の制御リソースセットのみにＫ個のＴＣＩを設定し、かつＵＥにＫ個のＴＣＩのうちの少なくとも１つのＲＳを指示でき、こうすることにより、ＵＥが全ての制御リソースセット内の全てのＴＣＩに対応するＲＳを測定することを回避し、ＵＥの電力消費を低減でき、かつＵＥによるビーム検出の精度を向上させる。
【図面の簡単な説明】
【００１３】
【図１】本発明の実施例に係るＲＳの決定方法のフローチャート１である。
【図２】本発明の実施例に係るＲＳの決定方法のフローチャート２である。
【図３】本発明の実施例のユーザ機器ＵＥの構成を示す模式図である。
【図４】本発明の実施例によるハードウェアアーキテクチャを示す模式図である。
【発明を実施するための形態】
【００１４】
本発明の実施例の特徴及び技術的内容をより詳しく説明するために、まず本発明の実施例に係るＲＳとはＲＳ信号、又はＲＳリソース、又はＲＳリソースグループを意味してよいことを明確にする必要があり、例えば、ＣＳＩ−ＲＳリソース、ＳＳ／ＰＢＣＨブロックの指示（Ｉｎｄｅｘ）、又はＣＳＩ−ＲＳリソースグループ標識などは、いずれも本発明の実施例におけるＲＳの概念的な範囲内のものであるが、網羅的なものではない。
【００１５】
以下、添付図面を参照しながら、本発明の実施例の実施形態について詳細に説明し、添付図面はあくまでも説明するためのものであり、本発明の実施例を限定するためのものではない。
【実施例１】
【００１６】
本発明の実施例は、図１に示すように、Ｎ（１以上の整数）個の制御リソースセットをＵＥに設定し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なるステップ１０１と、
前記Ｋ個のＴＣＩ情報のうちの少なくとも１つのＲＳを前記ＵＥに指示するステップ１０２と、
を含むネットワーク機器に適用されるＲＳの決定方法を提供する。
【００１７】
ここで、前記少なくとも一部の制御リソースセットにおける異なる制御リソースセットに設定したＴＣＩの数が同じ又は異なり、つまり、少なくとも一部の制御リソースセット（ＣＯＲＥＳＥＴ、Ｃｏｎｔｒｏｌ  Ｒｅｓｏｕｒｃｅ  Ｓｅｔ）における異なるＣＯＲＥＳＥＴに設定したＫ個のＴＣＩに対応するＫは同じであっても異なってもよい。
【００１８】
ＮＲシステムでは、ネットワークは、１つ又は複数のＣＯＲＥＳＥＴを設定してよく、各ＣＯＲＥＳＥＴは、時間周波数リソース（例えばどの周波数領域リソースを占有するか、連続した時間領域シンボルを幾つ占有するか）、及びアンテナポートＱＣＬ（ｑｕａｓｉ  ｃｏ−ｌｏｃａｔｉｏｎ）のような他の設定を含んでよく、ＱＣＬはＰＤＣＣＨにより受信したＤＭ−ＲＳアンテナポートに用いられる上位層パラメータＴＣＩで提供される。
【００１９】
また、前記方法は、ＵＥがＰＤＣＣＨに対応する制御リソースセットのＫ個のＴＣＩ情報のうちの少なくとも１つのＲＳを検出するためのＭ個のサーチスペースをＵＥに設定し、かつ前記少なくとも一部の制御リソースセットが前記Ｍ個のサーチスペースのうちの少なくとも１つのサーチスペースに関連付けられるステップをさらに含んでもよい。
【００２０】
つまり、少なくとも一部の制御リソースセットＣＯＲＥＳＥＴを設定した後、ＵＥに少なくとも一部のＣＯＲＥＳＥＴに関連付けられたサーチスペースＳｅａｒｃｈ  Ｓｐａｃｅを指示する必要があり、その後、ＵＥは対応するＰＤＣＣＨを検出する。
【００２１】
以下、上記の説明に基づいて様々な処理シナリオをそれぞれ実行する。
【００２２】
［シナリオ１］
１つのＣＯＲＥＳＥＴに複数のＴＣＩ  ｓｔａｔｅｓを設定するとき、有効化されたＴＣＩ  ｓｔａｔｅｓに対応するＲＳをｂｅａｍ  ｆａｉｌｕｒｅ  ｄｅｔｅｃｔｉｏｎの測定ＲＳとして用いる。
【００２３】
ネットワークは、ＵＥにＮ個のＣＯＲＥＳＥＴを設定し、ただし、ＣＯＲＥＳＥＴ  ＸにＫ個のＴＣＩ  ｓｔａｔｅｓが設定されている。ネットワークは、ＵＥがＰＤＣＣＨを監視（ｍｏｎｉｔｏｒ）するようにＭ個のサーチスペースＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００２４】
本シナリオでは、採用されるＲＳをどのように指示するかについて、前記Ｋ個のＴＣＩ情報のうちの少なくとも１つのＲＳを前記ＵＥに指示する方法を採用し、前記方法は、
前記Ｋ個のＴＣＩ情報のうち、ＭＡＣ  ＣＥシグナリングによって有効化されたＴＣＩ情報が指示するＲＳを指示すること、及び
前記Ｋ個のＴＣＩ情報のうち、ＤＣＩによって指示されたＴＣＩ情報が指示するＲＳを指示すること、のいずれか一方を含む。
【００２５】
具体的には、ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、Ｋ個のＴＣＩ  ｓｔａｔｅｓからどのＴＣＩ  ｓｔａｔｅｓに指示されるＲＳを用いるかを決定する必要があり、その決定方法の選択肢は、
Ｋ個のＴＣＩ  ｓｔａｔｅｓのうち、ＭＡＣ  ＣＥシグナリングの指示によって有効化されたものと、
Ｋ個のＴＣＩ  ｓｔａｔｅｓのうち、ＤＣＩの指示によって有効化されたものと、がある。
【００２６】
［シナリオ２］
１つのＴＣＩ  ｓｔａｔｅｓが１つのＱＣＬ情報を指示するとき、スペース相関ＱＣＬに関連付けられたＲＳをｂｅａｍ  ｆａｉｌｕｒｅ  ｄｅｔｅｃｔｉｏｎの測定ＲＳとして用いる。
【００２７】
前記方法は、少なくとも２つのＲＳ情報に対応するＱＣＬ情報をＴＣＩに指示するステップをさらに含み、ただし、少なくとも２つのＲＳ情報が指示するＲＳは同じ又は異なり、かつ異なるＲＳ情報が異なるＱＣＬパラメータタイプに対応する。
【００２８】
つまり、ネットワークは、ＵＥにＮ個のＣＯＲＥＳＥＴを設定し、ただし、ＣＯＲＥＳＥＴ  Ｘに異なるＱＣＬパラメータタイプに対応する２つのＲＳに対応する１つのＱＣＬ情報を指示する１つのＴＣＩ  ｓｔａｔｅが設定されており、なお、ＱＣＬ情報に含まれる２つのＲＳ情報は同じＲＳを指示してよいが、各ＲＳはそれぞれ異なるＱＣＬパラメータタイプに対応してよい。
【００２９】
１つのＴＣＩ  ｓｔａｔｅが１つのＱＣＬ情報を指示する場合、１つ又は２つのＲＳを設定する可能性があり、各ＲＳに対応するＱＣＬパラメータタイプが異なり、例えば２つのＲＳが１組のＱＣＬ情報を構成し、ＲＳ１がＱＣＬ−ＴｙｐｅＡに対応し、ＲＳ２がＱＣＬ−ＴｙｐｅＤに対応する。
【００３０】
ＱＣＬタイプとしては、以下が挙げられる。
ＱＣＬ−タイプＴｙｐｅＡ：｛ドップラーシフトＤｏｐｐｌｅｒ  ｓｈｉｆｔ、ドップラー範囲Ｄｏｐｐｌｅｒ  ｓｐｒｅａｄ、平均遅延ａｖｅｒａｇｅ  ｄｅｌａｙ、遅延範囲ｄｅｌａｙ  ｓｐｒｅａｄ｝、
ＱＣＬ−タイプＴｙｐｅＢ：｛ドップラーシフトＤｏｐｐｌｅｒ  ｓｈｉｆｔ、ドップラー範囲Ｄｏｐｐｌｅｒ  ｓｐｒｅａｄ｝、
ＱＣＬ−ＴｙｐｅＣ：｛平均遅延ａｖｅｒａｇｅ  ｄｅｌａｙ、ドップラーシフトＤｏｐｐｌｅｒ  ｓｈｉｆｔ｝、
ＱＣＬ−ＴｙｐｅＤ：  ｛スペースＳｐａｔｉａｌ  Ｒｘ  パラメータｐａｒａｍｅｔｅｒ｝。
【００３１】
ネットワークは、ＵＥがＰＤＣＣＨを監視（ｍｏｎｉｔｏｒ）するようにＭ個のＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００３２】
ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、そのＴＣＩ  ｓｔａｔｅｓに指示される２つのＲＳからどのＲＳを用いるかを決定する必要があり、前記の目標ＴＣＩのうちの１つのＲＳを用いるようにＵＥに指示することは、
前記目標ＴＣＩに含まれる少なくとも２つのＲＳのうち、スペースＱＣＬパラメータに対応するＲＳを用い、つまり、２つのＲＳのうち、スペースＱＣＬ情報に対応するＲＳを用いること、
前記目標ＴＣＩに含まれる少なくとも２つのＲＳのうち、スペースＱＣＬパラメータに対応しないＲＳを用い、つまり、２つのＲＳのうち、スペースＱＣＬ情報に対応しないＲＳを用いること、
前記目標ＴＣＩに含まれる少なくとも２つのＲＳのうち、ＵＥにＲＳを選択させること、
前記目標ＴＣＩに含まれる少なくとも２つのＲＳのうち、ＲＳの番号によって用いられるＲＳを決定し、例えば、２つのＲＳのうち、ＲＳの番号によってどれを用いるかを決定し、例示的には、ＲＳのうち番号の小さいものを選択してもよいし番号の大きいものを選択してもよく、実際の状況に応じて設定することができること、及び
前記目標ＴＣＩに含まれる少なくとも２つのＲＳのうち、設定シグナリングにおけるＲＳの位置によって用いられるＲＳを決定し、例えば、２つのＲＳのうち、設定シグナリングにおけるＲＳの位置によってどれを用いるかを決定し、例示的には、前に位置するものを決定してもよいし後ろに位置するものを決定してもよいこと、のいずれかを含む。
【００３３】
前述した解決手段に基づき、ＵＥが、用いるＲＳを取得した後、前記ＲＳはそれを測定することによってその対応するＰＤＣＣＨに対応するリンクの品質が所定の閾値を満たすか否かを決定するために用いられる。
【００３４】
具体的には、ビーム障害回復プロセス（ｂｅａｍ  ｆａｉｌｕｒｅ  ｒｅｃｏｖｅｒｙ）、又はリンク再設定プロセス（Ｌｉｎｋ  ｒｅｃｏｎｆｉｇｕｒａｔｉｏｎ  ｐｒｏｃｅｄｕｒｅｓ）に該ＲＳを用いることができる。例えば、ＵＥはＣＳＩ−ＲＳ及び／又はＳＳ／ＰＢＣＨ  ｂｌｏｃｋを測定することで、対応するＰＤＣＣＨに対応するリンクの品質が所定／設定の閾値（Ｈｙｐｏｔｈｅｔｉｃａｌ  ＢＬＥＲ性能が閾値を下回る）を満たすか否かを判断し、ＵＥはＣＳＩ−ＲＳ及び／又はＳＳ／ＰＢＣＨ  ｂｌｏｃｋによって所定／設定の閾値を満たす新たなｂｅａｍ（Ｌ１−ＲＳＰＲ性能が閾値を上回る）を新たに選択し、ＵＥは新たなｂｅａｍに対応するＰＲＡＣＨを選択して伝送を開始し、又はＰＵＣＣＨによってその選択された新たなｂｅａｍを報知し、ＵＥはネットワークの応答を検出する。
【００３５】
さらに、ここで言及されるビーム（Ｂｅａｍ）は、実際にはｂｅａｍにて搬送される信号の情報によって表現されるものであり、実際に使用するとき、ＣＳＩ−ＲＳリソース（ｒｅｓｏｕｒｃｅ）又は同期信号（ＳＳ）ブロック／ＰＢＣＨブロックｂｌｏｃｋ指示ｉｎｄｅｘによって表現されることに留意されたい。
【００３６】
明らかに、上記解決手段を採用することにより、制御リソースセットをＵＥに設定する際に、一部の制御リソースセットのみにＫ個のＴＣＩを設定し、かつＵＥにＫ個のＴＣＩのうちの少なくとも１つのＲＳを指示でき、こうすることにより、ＵＥが全ての制御リソースセット内の全てのＴＣＩに対応するＲＳを測定することを回避し、ＵＥの電力消費を低減でき、かつＵＥによるビーム検出の精度を向上させる。
【実施例２】
【００３７】
本発明の実施例は、図２に示すように、ネットワーク側がＵＥに設定したＮ（１以上の整数）個の制御リソースセットを受信し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なるステップ２０１と、
ネットワーク側が前記ＵＥに指示した前記Ｋ個のＴＣＩ情報のうちの少なくとも１つのＲＳを受信するステップ２０２と、
を含むＵＥに適用されるＲＳの決定方法を提供する。
【００３８】
ここで、前記少なくとも一部の制御リソースセットにおける異なる制御リソースセットに設定したＴＣＩの数が同じ又は異なり、つまり、少なくとも一部の制御リソースセット（ＣＯＲＥＳＥＴ、Ｃｏｎｔｒｏｌ  Ｒｅｓｏｕｒｃｅ  Ｓｅｔ）における異なるＣＯＲＥＳＥＴに設定したＫ個のＴＣＩに対応するＫは同じであっても異なってもよい。
【００３９】
ＮＲシステムでは、ネットワークは、１つ又は複数のＣＯＲＥＳＥＴを設定してよく、各ＣＯＲＥＳＥＴは、時間周波数リソース（例えばどの周波数領域リソースを占有するか、連続した時間領域シンボルを幾つ占有するか）、及びアンテナポートＱＣＬ（ｑｕａｓｉ  ｃｏ−ｌｏｃａｔｉｏｎ）のような他の設定を含んでよく、ＱＣＬは、ＰＤＣＣＨにより受信したＤＭ−ＲＳアンテナポートに用いられる上位層パラメータＴＣＩで提供される。
【００４０】
また、前記方法は、ネットワーク側がＵＥに設定したＭ個のサーチスペースを受信し、かつ前記少なくとも一部の制御リソースセットが前記Ｍ個のサーチスペースのうちの少なくとも１つのサーチスペースに関連付けられるステップと、
設定した前記Ｍ個のサーチスペースに基づき、ＰＤＣＣＨに対応する制御リソースセットのＫ個のＴＣＩ情報のうちの少なくとも１つのＲＳを検出するステップと、をさらに含んでもよい。
【００４１】
つまり、少なくとも一部の制御リソースセットＣＯＲＥＳＥＴを設定した後、ＵＥに少なくとも一部のＣＯＲＥＳＥＴに関連付けられたサーチスペースＳｅａｒｃｈ  Ｓｐａｃｅを指示する必要があり、その後、ＵＥは対応するＰＤＣＣＨを検出する。
【００４２】
以下、上記の説明に基づいて様々な処理シナリオをそれぞれ実行する。
【００４３】
［シナリオ１］
１つのＣＯＲＥＳＥＴに複数のＴＣＩ  ｓｔａｔｅｓを設定するとき、有効化されたＴＣＩ  ｓｔａｔｅｓに対応するＲＳをｂｅａｍ  ｆａｉｌｕｒｅ  ｄｅｔｅｃｔｉｏｎの測定ＲＳとして用いる。
【００４４】
ネットワークは、ＵＥにＮ個のＣＯＲＥＳＥＴを設定し、ただし、ＣＯＲＥＳＥＴ  ＸにＫ個のＴＣＩ  ｓｔａｔｅｓが設定されている。ネットワークは、ＵＥがＰＤＣＣＨを監視（ｍｏｎｉｔｏｒ）するようにＭ個のサーチスペースＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００４５】
本シナリオでは、採用されるＲＳをどのように指示するかについて、前記Ｋ個のＴＣＩ情報のうちの少なくとも１つのＲＳを前記ＵＥに指示する方法を採用し、前記方法は、
ネットワーク側がＭＡＣ  ＣＥシグナリングによって有効化された、前記Ｋ個のＴＣＩ情報のうちの１つのＴＣＩ情報が指示するＲＳを受信すること、及び
ネットワーク側がＤＣＩによって有効化された、前記Ｋ個のＴＣＩ情報のうちの１つのＴＣＩ情報が指示するＲＳを受信すること、のいずれか一方を含む。
【００４６】
具体的には、ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、Ｋ個のＴＣＩ  ｓｔａｔｅｓからどのＴＣＩ  ｓｔａｔｅｓに指示されるＲＳを用いるかを決定する必要があり、その決定方法の選択肢は、
Ｋ個のＴＣＩ  ｓｔａｔｅｓのうち、ＭＡＣ  ＣＥシグナリングの指示によって有効化されたものと、
Ｋ個のＴＣＩ  ｓｔａｔｅｓのうち、ＤＣＩの指示によって有効化されたものと、がある。
【００４７】
［シナリオ２］
１つのＴＣＩ  ｓｔａｔｅｓが１つのＱＣＬ情報を指示するとき、スペース相関ＱＣＬに関連付けられたＲＳをｂｅａｍ  ｆａｉｌｕｒｅ  ｄｅｔｅｃｔｉｏｎの測定ＲＳとして用いる。
【００４８】
前記方法は、ネットワーク側がＴＣＩに指示した、少なくとも２つのＲＳ情報に対応するＱＣＬ情報を受信するステップをさらに含み、
ただし、少なくとも２つのＲＳ情報が指示するＲＳは同じ又は異なり、かつ異なるＲＳ情報が異なるＱＣＬパラメータタイプに対応する。
【００４９】
つまり、ネットワークは、ＵＥにＮ個のＣＯＲＥＳＥＴを設定し、ただし、ＣＯＲＥＳＥＴ  Ｘに異なるＱＣＬパラメータタイプに対応する２つのＲＳに対応する１つのＱＣＬ情報を指示する１つのＴＣＩ  ｓｔａｔｅが設定されており、なお、ＱＣＬ情報に含まれる２つのＲＳ情報は同じＲＳを指示してよいが、各ＲＳはそれぞれ異なるＱＣＬパラメータタイプに対応してよい。
【００５０】
１つのＴＣＩ  ｓｔａｔｅが１つのＱＣＬ情報を指示する場合、１つ又は２つのＲＳを設定する可能性があり、各ＲＳに対応するＱＣＬパラメータタイプが異なり、例えば２つのＲＳが１組のＱＣＬ情報を構成し、ＲＳ１がＱＣＬ−ＴｙｐｅＡに対応し、ＲＳ２がＱＣＬ−ＴｙｐｅＤに対応する。
【００５１】
ＱＣＬタイプとしては、以下が挙げられる。
ＱＣＬ−タイプＴｙｐｅＡ：｛ドップラーシフトＤｏｐｐｌｅｒ  ｓｈｉｆｔ、ドップラー範囲Ｄｏｐｐｌｅｒ  ｓｐｒｅａｄ、平均遅延ａｖｅｒａｇｅ  ｄｅｌａｙ、遅延範囲ｄｅｌａｙ  ｓｐｒｅａｄ｝、
ＱＣＬ−タイプＴｙｐｅＢ：｛ドップラーシフトＤｏｐｐｌｅｒ  ｓｈｉｆｔ、ドップラー範囲Ｄｏｐｐｌｅｒ  ｓｐｒｅａｄ｝、
ＱＣＬ−ＴｙｐｅＣ：｛平均遅延ａｖｅｒａｇｅ  ｄｅｌａｙ、ドップラーシフトＤｏｐｐｌｅｒ  ｓｈｉｆｔ｝、
ＱＣＬ−ＴｙｐｅＤ：  ｛スペースＳｐａｔｉａｌ  Ｒｘ  パラメータｐａｒａｍｅｔｅｒ｝。
【００５２】
ネットワークは、ＵＥがＰＤＣＣＨを監視（ｍｏｎｉｔｏｒ）するようにＭ個のＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００５３】
ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、そのＴＣＩ  ｓｔａｔｅｓに指示される２つのＲＳからどのＲＳを用いるかを決定する必要があり、前記の目標ＴＣＩのうちの１つのＲＳを用いるようにＵＥに指示することは、
前記目標ＴＣＩに含まれる少なくとも２つのＲＳのうち、スペースＱＣＬパラメータに対応するＲＳを用い、つまり、２つのＲＳのうち、スペースＱＣＬ情報に対応するＲＳを用いること、
前記目標ＴＣＩに含まれる少なくとも２つのＲＳのうち、スペースＱＣＬパラメータに対応しないＲＳを用い、つまり、２つのＲＳのうち、スペースＱＣＬ情報に対応しないＲＳを用いること、
前記目標ＴＣＩに含まれる少なくとも２つのＲＳのうち、ＵＥにＲＳを選択させること、
前記目標ＴＣＩに含まれる少なくとも２つのＲＳのうち、ＲＳの番号によって用いられるＲＳを決定し、例えば、２つのＲＳのうち、ＲＳの番号によってどれを用いるかを決定し、例示的には、ＲＳのうち番号の小さいものを選択してもよいし番号の大きいものを選択してもよく、実際の状況に応じて設定することができること、及び
前記目標ＴＣＩに含まれる少なくとも２つのＲＳのうち、設定シグナリングにおけるＲＳの位置によって用いられるＲＳを決定し、例えば、２つのＲＳのうち、設定シグナリングにおけるＲＳの位置によってどれを用いるかを決定し、例示的には、前に位置するものを決定してもよいし後ろに位置するものを決定してもよいこと、のいずれかを含む。
【００５４】
前述した解決手段に基づき、ＵＥが、用いるＲＳを取得した後、前記ＲＳはそれを測定することによってその対応するＰＤＣＣＨに対応するリンクの品質が所定の閾値を満たすか否かを決定するために用いられる。
【００５５】
具体的には、ビーム障害回復プロセス（ｂｅａｍ  ｆａｉｌｕｒｅ  ｒｅｃｏｖｅｒｙ）、又はリンク再設定プロセス（Ｌｉｎｋ  ｒｅｃｏｎｆｉｇｕｒａｔｉｏｎ  ｐｒｏｃｅｄｕｒｅｓ）に該ＲＳを用いることができる。例えば、ＵＥはＣＳＩ−ＲＳ及び／又はＳＳ／ＰＢＣＨ  ｂｌｏｃｋを測定することで、対応するＰＤＣＣＨに対応するリンクの品質が所定／設定の閾値（Ｈｙｐｏｔｈｅｔｉｃａｌ  ＢＬＥＲ性能が閾値を下回る）を満たすか否かを判断し、ＵＥはＣＳＩ−ＲＳ及び／又はＳＳ／ＰＢＣＨ  ｂｌｏｃｋによって所定／設定の閾値を満たす新たなｂｅａｍ（Ｌ１−ＲＳＰＲ性能が閾値を上回る）を新たに選択し、ＵＥは新たなｂｅａｍに対応するＰＲＡＣＨを選択して伝送を開始し、又はＰＵＣＣＨによってその選択された新たなｂｅａｍを報知し、ＵＥはネットワークの応答を検出する。
【００５６】
さらに、ここで言及されるビーム（Ｂｅａｍ）は、実際にはｂｅａｍにて搬送される信号の情報によって表現されるものであり、実際に使用するとき、ＣＳＩ−ＲＳリソース（ｒｅｓｏｕｒｃｅ）又は同期信号（ＳＳ）ブロック／ＰＢＣＨブロックｂｌｏｃｋ指示ｉｎｄｅｘによって表現されることに留意されたい。
【００５７】
明らかに、上記解決手段を採用することにより、制御リソースセットをＵＥに設定する際に、一部の制御リソースセットのみにＫ個のＴＣＩを設定し、かつＵＥにＫ個のＴＣＩのうちの少なくとも１つのＲＳを指示でき、こうすることにより、ＵＥが全ての制御リソースセット内の全てのＴＣＩに対応するＲＳを測定することを回避し、ＵＥの電力消費を低減でき、かつＵＥによるビーム検出の精度を向上させる。
【実施例３】
【００５８】
本発明の実施例は、Ｎ（１以上の整数）個の制御リソースセットをＵＥに設定し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なり、前記Ｋ個のＴＣＩ情報のうちの少なくとも１つのＲＳを前記ＵＥに指示する第１の通信ユニットを含むネットワーク機器を提供する。
【００５９】
ここで、前記少なくとも一部の制御リソースセットにおける異なる制御リソースセットに設定したＴＣＩの数が同じ又は異なり、つまり、少なくとも一部の制御リソースセット（ＣＯＲＥＳＥＴ、Ｃｏｎｔｒｏｌ  Ｒｅｓｏｕｒｃｅ  Ｓｅｔ）における異なるＣＯＲＥＳＥＴに設定したＫ個のＴＣＩに対応するＫは同じであっても異なってもよい。
【００６０】
ＮＲシステムでは、ネットワークは、１つ又は複数のＣＯＲＥＳＥＴを設定してよく、各ＣＯＲＥＳＥＴは、時間周波数リソース（例えばどの周波数領域リソースを占有するか、連続した時間領域シンボルを幾つ占有するか）、及びアンテナポートＱＣＬ（ｑｕａｓｉ  ｃｏ−ｌｏｃａｔｉｏｎ）のような他の設定を含んでよく、ＱＣＬはＰＤＣＣＨにより受信したＤＭ−ＲＳアンテナポートに用いられる上位層パラメータＴＣＩで提供される。
【００６１】
また、前記第１の通信ユニットは、ＵＥがＰＤＣＣＨに対応する制御リソースセットのＫ個のＴＣＩ情報のうちの少なくとも１つのＲＳを検出するためのＭ個のサーチスペースをＵＥに設定し、かつ前記少なくとも一部の制御リソースセットが前記Ｍ個のサーチスペースのうちの少なくとも１つのサーチスペースに関連付けられる。
【００６２】
つまり、少なくとも一部の制御リソースセットＣＯＲＥＳＥＴを設定した後、ＵＥに少なくとも一部のＣＯＲＥＳＥＴに関連付けられたサーチスペースＳｅａｒｃｈ  Ｓｐａｃｅを指示する必要があり、その後、ＵＥは対応するＰＤＣＣＨを検出する。
【００６３】
以下、上記の説明に基づいて様々な処理シナリオをそれぞれ実行する。
【００６４】
［シナリオ１］
１つのＣＯＲＥＳＥＴに複数のＴＣＩ  ｓｔａｔｅｓを設定するとき、有効化されたＴＣＩ  ｓｔａｔｅｓに対応するＲＳをｂｅａｍ  ｆａｉｌｕｒｅ  ｄｅｔｅｃｔｉｏｎの測定ＲＳとして用いる。
【００６５】
ネットワークは、ＵＥにＮ個のＣＯＲＥＳＥＴを設定し、ただし、ＣＯＲＥＳＥＴ  ＸにＫ個のＴＣＩ  ｓｔａｔｅｓが設定されている。ネットワークは、ＵＥがＰＤＣＣＨを監視（ｍｏｎｉｔｏｒ）するようにＭ個のサーチスペースＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００６６】
本シナリオでは、採用されるＲＳをどのように指示するかについて、第１の通信ユニットは、
前記Ｋ個のＴＣＩ情報のうち、ＭＡＣ  ＣＥシグナリングによって有効化されたＴＣＩ情報が指示するＲＳと、
前記Ｋ個のＴＣＩ情報のうち、ＤＣＩによって指示されたＴＣＩ情報が指示するＲＳと、のいずれか一方を含む。
【００６７】
具体的には、ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、Ｋ個のＴＣＩ  ｓｔａｔｅｓからどのＴＣＩ  ｓｔａｔｅｓに指示されるＲＳを用いるかを決定する必要があり、その決定方法の選択肢は、
Ｋ個のＴＣＩ  ｓｔａｔｅｓのうち、ＭＡＣ  ＣＥシグナリングの指示によって有効化されたもの、
Ｋ個のＴＣＩ  ｓｔａｔｅｓのうち、ＤＣＩの指示によって有効化されたもの、がある。
【００６８】
［シナリオ２］
１つのＴＣＩ  ｓｔａｔｅｓが１つのＱＣＬ情報を指示するとき、スペース相関ＱＣＬに関連付けられたＲＳをｂｅａｍ  ｆａｉｌｕｒｅ  ｄｅｔｅｃｔｉｏｎの測定ＲＳとして用いる。
【００６９】
前記第１の通信ユニットは、少なくとも２つのＲＳ情報に対応するＱＣＬ情報をＴＣＩに指示し、ただし、少なくとも２つのＲＳ情報が指示するＲＳは同じ又は異なり、かつ異なるＲＳ情報が異なるＱＣＬパラメータタイプに対応する。
【００７０】
つまり、ネットワークは、ＵＥにＮ個のＣＯＲＥＳＥＴを設定し、ただし、ＣＯＲＥＳＥＴ  Ｘに異なるＱＣＬパラメータタイプに対応する２つのＲＳに対応する１つのＱＣＬ情報を指示する１つのＴＣＩ  ｓｔａｔｅが設定されており、なお、ＱＣＬ情報に含まれる２つのＲＳ情報は同じＲＳを指示してよいが、各ＲＳはそれぞれ異なるＱＣＬパラメータタイプに対応してよい。
【００７１】
１つのＴＣＩ  ｓｔａｔｅが１つのＱＣＬ情報を指示する場合、１つ又は２つのＲＳを設定する可能性があり、各ＲＳに対応するＱＣＬパラメータタイプが異なり、例えば２つのＲＳが１組のＱＣＬ情報を構成し、ＲＳ１がＱＣＬ−ＴｙｐｅＡに対応し、ＲＳ２がＱＣＬ−ＴｙｐｅＤに対応する。
【００７２】
ＱＣＬタイプとしては、以下が挙げられる。
ＱＣＬ−タイプＴｙｐｅＡ：｛ドップラーシフトＤｏｐｐｌｅｒ  ｓｈｉｆｔ、ドップラー範囲Ｄｏｐｐｌｅｒ  ｓｐｒｅａｄ、平均遅延ａｖｅｒａｇｅ  ｄｅｌａｙ、遅延範囲ｄｅｌａｙ  ｓｐｒｅａｄ｝、
ＱＣＬ−タイプＴｙｐｅＢ：｛ドップラーシフトＤｏｐｐｌｅｒ  ｓｈｉｆｔ、ドップラー範囲Ｄｏｐｐｌｅｒ  ｓｐｒｅａｄ｝、
ＱＣＬ−ＴｙｐｅＣ：｛平均遅延ａｖｅｒａｇｅ  ｄｅｌａｙ、ドップラーシフトＤｏｐｐｌｅｒ  ｓｈｉｆｔ｝、
ＱＣＬ−ＴｙｐｅＤ：  ｛スペースＳｐａｔｉａｌ  Ｒｘ  パラメータｐａｒａｍｅｔｅｒ｝。
【００７３】
ネットワークは、ＵＥがＰＤＣＣＨを監視（ｍｏｎｉｔｏｒ）するようにＭ個のＳｅａｒｃｈ  ｓｐａｃｅを設定し、ただし、ＣＯＲＥＳＥＴ  Ｘが１つ又は複数のＳｅａｒｃｈ  ｓｐａｃｅに関連付けられる。
【００７４】
ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、そのＴＣＩ  ｓｔａｔｅｓに指示される２つのＲＳからどのＲＳを用いるかを決定する必要があり、前記の目標ＴＣＩのうちの１つのＲＳを用いるようにＵＥに指示することについて、第１の通信ユニットは、
前記目標ＴＣＩに含まれる少なくとも２つのＲＳのうち、スペースＱＣＬパラメータに対応するＲＳを用い、つまり、２つのＲＳのうち、スペースＱＣＬ情報に対応するＲＳを用いること、
前記目標ＴＣＩに含まれる少なくとも２つのＲＳのうち、スペースＱＣＬパラメータに対応しないＲＳを用い、つまり、２つのＲＳのうち、スペースＱＣＬ情報に対応しないＲＳを用いること、
前記目標ＴＣＩに含まれる少なくとも２つのＲＳのうち、ＵＥにＲＳを選択させること、
前記目標ＴＣＩに含まれる少なくとも２つのＲＳのうち、ＲＳの番号によって用いられるＲＳを決定し、例えば、２つのＲＳのうち、ＲＳの番号によってどれを用いるかを決定し、例示的には、ＲＳのうち番号の小さいものを選択してもよいし番号の大きいものを選択してもよく、実際の状況に応じて設定することができること、及び
前記目標ＴＣＩに含まれる少なくとも２つのＲＳのうち、設定シグナリングにおけるＲＳの位置によって用いられるＲＳを決定し、例えば、２つのＲＳのうち、設定シグナリングにおけるＲＳの位置によってどれを用いるかを決定し、例示的には、前に位置するものを決定してもよいし後ろに位置するものを決定してもよいこと、のいずれかを含む。
【００７５】
前述した解決手段に基づき、ＵＥが、用いるＲＳを取得した後、前記ＲＳは、それを測定することによってその対応するＰＤＣＣＨに対応するリンクの品質が所定の閾値を満たすか否かを決定するために用いられる。
【００７６】
具体的には、ビーム障害回復プロセス（ｂｅａｍ  ｆａｉｌｕｒｅ  ｒｅｃｏｖｅｒｙ）、又はリンク再設定プロセス（Ｌｉｎｋ  ｒｅｃｏｎｆｉｇｕｒａｔｉｏｎ  ｐｒｏｃｅｄｕｒｅｓ）に該ＲＳを用いることができる。例えば、ＵＥはＣＳＩ−ＲＳ及び／又はＳＳ／ＰＢＣＨ  ｂｌｏｃｋを測定することで、対応するＰＤＣＣＨに対応するリンクの品質が所定／設定の閾値（Ｈｙｐｏｔｈｅｔｉｃａｌ  ＢＬＥＲ性能が閾値を下回る）を満たすか否かを判断し、ＵＥはＣＳＩ−ＲＳ及び／又はＳＳ／ＰＢＣＨ  ｂｌｏｃｋによって所定／設定の閾値を満たす新たなｂｅａｍ（Ｌ１−ＲＳＰＲ性能が閾値を上回る）を新たに選択し、ＵＥは新たなｂｅａｍに対応するＰＲＡＣＨを選択して伝送を開始し、又はＰＵＣＣＨによってその選択された新たなｂｅａｍを報知し、ＵＥはネットワークの応答を検出する。
【００７７】
さらに、ここで言及されるビーム（Ｂｅａｍ）は、実際にはｂｅａｍにて搬送される信号の情報によって表現されるものであり、実際に使用するとき、ＣＳＩ−ＲＳリソース（ｒｅｓｏｕｒｃｅ）又は同期信号（ＳＳ）ブロック／ＰＢＣＨブロックｂｌｏｃｋ指示ｉｎｄｅｘによって表現されることに留意されたい。
【００７８】
明らかに、上記解決手段を採用することにより、制御リソースセットをＵＥに設定する際に、一部の制御リソースセットのみにＫ個のＴＣＩを設定し、かつＵＥにＫ個のＴＣＩのうちの少なくとも１つのＲＳを指示でき、こうすることにより、ＵＥが全ての制御リソースセット内の全てのＴＣＩに対応するＲＳを測定することを回避し、ＵＥの電力消費を低減でき、かつＵＥによるビーム検出の精度を向上させる。
【実施例４】
【００７９】
本発明の実施例は、図３に示すように、ネットワーク側がＵＥに設定したＮ（１以上の整数）個の制御リソースセットを受信し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なり、ネットワーク側が前記ＵＥに指示した前記Ｋ個のＴＣＩ情報のうちの少なくとも１つのＲＳを受信する第２の通信ユニット３１を含むＵＥを提供する。
【００８０】
ここで、前記少なくとも一部の制御リソースセットにおける異なる制御リソースセットに設定したＴＣＩの数が同じ又は異なり、つまり、少なくとも一部の制御リソースセット（ＣＯＲＥＳＥＴ、Ｃｏｎｔｒｏｌ  Ｒｅｓｏｕｒｃｅ  Ｓｅｔ）における異なるＣＯＲＥＳＥＴに設定したＫ個のＴＣＩに対応するＫは同じであっても異なってもよい。
【００８１】
ＮＲシステムでは、ネットワークは、１つ又は複数のＣＯＲＥＳＥＴを設定してよく、各ＣＯＲＥＳＥＴは、時間周波数リソース（例えばどの周波数領域リソースを占有するか、連続した時間領域シンボルを幾つ占有するか）、及びアンテナポートＱＣＬ（ｑｕａｓｉ  ｃｏ−ｌｏｃａｔｉｏｎ）のような他の設定を含んでよく、ＱＣＬはＰＤＣＣＨにより受信したＤＭ−ＲＳアンテナポートに用いられる上位層パラメータＴＣＩで提供される。
【００８２】
また、前記ＵＥは、
設定した前記Ｍ個のサーチスペースに基づき、ＰＤＣＣＨに対応する制御リソースセットのＫ個のＴＣＩ情報のうちの少なくとも１つのＲＳを検出する第２の処理ユニット３２をさらに含み、
第２の通信ユニット３１は、ネットワーク側がＵＥに設定したＭ個のサーチスペースを受信し、かつ前記少なくとも一部の制御リソースセットが前記Ｍ個のサーチスペースのうちの少なくとも１つのサーチスペースに関連付けられる。
【００８３】
つまり、少なくとも一部の制御リソースセットＣＯＲＥＳＥＴを設定した後、ＵＥに少なくとも一部のＣＯＲＥＳＥＴに関連付けられたサーチスペースＳｅａｒｃｈ  Ｓｐａｃｅを指示する必要があり、その後、ＵＥは対応するＰＤＣＣＨを検出する。
【００８４】
以下、上記の説明に基づいて様々な処理シナリオをそれぞれ実行する。
【００８５】
［シナリオ１］
１つのＣＯＲＥＳＥＴに複数のＴＣＩ  ｓｔａｔｅｓを設定するとき、有効化されたＴＣＩ  ｓｔａｔｅｓに対応するＲＳをｂｅａｍ  ｆａｉｌｕｒｅ  ｄｅｔｅｃｔｉｏｎの測定ＲＳとして用いる。
【００８６】
ネットワークは、ＵＥにＮ個のＣＯＲＥＳＥＴを設定し、ただし、ＣＯＲＥＳＥＴ  ＸにＫ個のＴＣＩ  ｓｔａｔｅｓが設定されている。ネットワークは、ＵＥがＰＤＣＣＨを監視（ｍｏｎｉｔｏｒ）するようにＭ個のサーチスペースＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００８７】
本シナリオでは、採用されるＲＳをどのように指示するかについて、前記第２の通信ユニット３１は、
ネットワーク側がＭＡＣ  ＣＥシグナリングによって有効化された、前記Ｋ個のＴＣＩ情報のうちの１つのＴＣＩ情報が指示するＲＳを受信すること、及び
ネットワーク側がＤＣＩによって有効化された、前記Ｋ個のＴＣＩ情報のうちの１つのＴＣＩ情報が指示するＲＳを受信すること、のいずれかを含む。
【００８８】
具体的には、ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、Ｋ個のＴＣＩ  ｓｔａｔｅｓからどのＴＣＩ  ｓｔａｔｅｓに指示されるＲＳを用いるかを決定する必要があり、その決定方法の選択肢は、
Ｋ個のＴＣＩ  ｓｔａｔｅｓのうち、ＭＡＣ  ＣＥシグナリングの指示によって有効化されたもの、
Ｋ個のＴＣＩ  ｓｔａｔｅｓのうち、ＤＣＩの指示によって有効化されたもの、がある。
【００８９】
［シナリオ２］
１つのＴＣＩ  ｓｔａｔｅｓが１つのＱＣＬ情報を指示するとき、スペース相関ＱＣＬに関連付けられたＲＳをｂｅａｍ  ｆａｉｌｕｒｅ  ｄｅｔｅｃｔｉｏｎの測定ＲＳとして用いる。
【００９０】
第２の通信ユニット３１は、ネットワーク側がＴＣＩに指示した、少なくとも２つのＲＳ情報に対応するＱＣＬ情報を受信し、
ただし、少なくとも２つのＲＳ情報が指示するＲＳは同じ又は異なり、かつ異なるＲＳ情報が異なるＱＣＬパラメータタイプに対応する。
【００９１】
つまり、ネットワークは、ＵＥにＮ個のＣＯＲＥＳＥＴを設定し、ただし、ＣＯＲＥＳＥＴ  Ｘに異なるＱＣＬパラメータタイプに対応する２つのＲＳに対応する１つのＱＣＬ情報を指示する１つのＴＣＩ  ｓｔａｔｅが設定されており、なお、ＱＣＬ情報に含まれる２つのＲＳ情報は同じＲＳを指示してよいが、各ＲＳはそれぞれ異なるＱＣＬパラメータタイプに対応してよい。
【００９２】
１つのＴＣＩ  ｓｔａｔｅが１つのＱＣＬ情報を指示する場合、１つ又は２つのＲＳを設定する可能性があり、各ＲＳに対応するＱＣＬパラメータタイプが異なり、例えば２つのＲＳが１組のＱＣＬ情報を構成し、ＲＳ１がＱＣＬ−ＴｙｐｅＡに対応し、ＲＳ２がＱＣＬ−ＴｙｐｅＤに対応する。
【００９３】
ＱＣＬタイプとしては、以下が挙げられる。
ＱＣＬ−タイプＴｙｐｅＡ：｛ドップラーシフトＤｏｐｐｌｅｒ  ｓｈｉｆｔ、ドップラー範囲Ｄｏｐｐｌｅｒ  ｓｐｒｅａｄ、平均遅延ａｖｅｒａｇｅ  ｄｅｌａｙ、遅延範囲ｄｅｌａｙ  ｓｐｒｅａｄ｝、
ＱＣＬ−タイプＴｙｐｅＢ：｛ドップラーシフトＤｏｐｐｌｅｒ  ｓｈｉｆｔ、ドップラー範囲Ｄｏｐｐｌｅｒ  ｓｐｒｅａｄ｝、
ＱＣＬ−ＴｙｐｅＣ：｛平均遅延ａｖｅｒａｇｅ  ｄｅｌａｙ、ドップラーシフトＤｏｐｐｌｅｒ  ｓｈｉｆｔ｝、
ＱＣＬ−ＴｙｐｅＤ：  ｛スペースＳｐａｔｉａｌ  Ｒｘ  パラメータｐａｒａｍｅｔｅｒ｝。
【００９４】
ネットワークは、ＵＥがＰＤＣＣＨを監視（ｍｏｎｉｔｏｒ）するようにＭ個のＳｅａｒｃｈ  ｓｐａｃｅを設定し、ただし、ＣＯＲＥＳＥＴ  Ｘが１つ又は複数のＳｅａｒｃｈ  ｓｐａｃｅに関連付けられる。
【００９５】
ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、そのＴＣＩ  ｓｔａｔｅｓに指示される２つのＲＳからどのＲＳを用いるかを決定する必要があり、前記の目標ＴＣＩのうちの１つのＲＳを用いるようにＵＥに指示することについて、前記第２の処理ユニット３２は、
前記目標ＴＣＩに含まれる少なくとも２つのＲＳのうち、スペースＱＣＬパラメータに対応するＲＳを用い、つまり、２つのＲＳのうち、スペースＱＣＬ情報に対応するＲＳを用いること、
前記目標ＴＣＩに含まれる少なくとも２つのＲＳのうち、スペースＱＣＬパラメータに対応しないＲＳを用い、つまり、２つのＲＳのうち、スペースＱＣＬ情報に対応しないＲＳを用いること、
前記目標ＴＣＩに含まれる少なくとも２つのＲＳのうち、ＵＥにＲＳを選択させること、
前記目標ＴＣＩに含まれる少なくとも２つのＲＳのうち、ＲＳの番号によって用いられるＲＳを決定し、例えば、２つのＲＳのうち、ＲＳの番号によってどれを用いるかを決定し、例示的には、ＲＳのうち番号の小さいものを選択してもよいし番号の大きいものを選択してもよく、実際の状況に応じて設定することができること、及び
前記目標ＴＣＩに含まれる少なくとも２つのＲＳのうち、設定シグナリングにおけるＲＳの位置によって用いられるＲＳを決定し、例えば、２つのＲＳのうち、設定シグナリングにおけるＲＳの位置によってどれを用いるかを決定し、例示的には、前に位置するものを決定してもよいし後ろに位置するものを決定してもよいこと、のいずれかを実行することを含む。
【００９６】
前述した解決手段に基づき、ＵＥが、用いるＲＳを取得した後、前記ＲＳはそれを測定することによってその対応するＰＤＣＣＨに対応するリンクの品質が所定の閾値を満たすか否かを決定するために用いられる。
【００９７】
具体的には、ビーム障害回復プロセス（ｂｅａｍ  ｆａｉｌｕｒｅ  ｒｅｃｏｖｅｒｙ）、又はリンク再設定プロセス（Ｌｉｎｋ  ｒｅｃｏｎｆｉｇｕｒａｔｉｏｎ  ｐｒｏｃｅｄｕｒｅｓ）に該ＲＳを用いることができる。例えば、ＵＥはＣＳＩ−ＲＳ及び／又はＳＳ／ＰＢＣＨ  ｂｌｏｃｋを測定することで、対応するＰＤＣＣＨに対応するリンクの品質が所定／設定の閾値（Ｈｙｐｏｔｈｅｔｉｃａｌ  ＢＬＥＲ性能が閾値を下回る）を満たすか否かを判断し、ＵＥはＣＳＩ−ＲＳ及び／又はＳＳ／ＰＢＣＨ  ｂｌｏｃｋによって所定／設定の閾値を満たす新たなｂｅａｍ（Ｌ１−ＲＳＰＲ性能が閾値を上回る）を新たに選択し、ＵＥは新たなｂｅａｍに対応するＰＲＡＣＨを選択して伝送を開始し、又はＰＵＣＣＨによって選択した新たなｂｅａｍを報知し、ＵＥはネットワークの応答を検出する。
【００９８】
さらに、ここで言及されるビーム（Ｂｅａｍ）は、実際にはｂｅａｍにて搬送される信号の情報によって表現されるものであり、実際に使用するとき、ＣＳＩ−ＲＳリソース（ｒｅｓｏｕｒｃｅ）又は同期信号（ＳＳ）ブロック／ＰＢＣＨブロックｂｌｏｃｋ指示ｉｎｄｅｘによって表現されることに留意されたい。
【００９９】
明らかに、上記解決手段を採用することにより、制御リソースセットをＵＥに設定する際に、一部の制御リソースセットのみにＫ個のＴＣＩを設定し、かつＵＥにＫ個のＴＣＩのうちの少なくとも１つのＲＳを指示でき、こうすることにより、ＵＥが全ての制御リソースセット内の全てのＴＣＩに対応するＲＳを測定することを回避し、ＵＥの電力消費を低減でき、かつＵＥによるビーム検出の精度を向上させる。
【０１００】
本発明の実施例は、ユーザ機器ＵＥ、又はネットワーク機器のハードウェア構成アーキテクチャを提供し、図４に示すように、少なくとも１つのプロセッサ４１と、メモリ４２と、少なくとも１つのネットワークインタフェース４３とを含む。各構成要素はバスシステム４４によって結合される。バスシステム４４がこれらの構成要素の間の接続通信を実現するために用いられることが理解できる。バスシステム４４は、データバスの他、電源バス、制御バス及び状態信号バスをさらに含む。しかしながら、説明を明確にするために、図４では全てのバスをバスシステム４４と標記する。
【０１０１】
なお、本発明の実施例におけるメモリ４２は、揮発性メモリであってもよいし又は不揮発性メモリであってもよく、又は揮発性メモリと不揮発性メモリの両方を含んでもよい。
【０１０２】
幾つかの実施形態では、メモリ４２には、実行可能モジュール又はデータ構造、又はそれらのサブセット、又はオペレーティングシステム４２１及びアプリケーションプログラム４２２のようなそれらの拡張セットを記憶している。
【０１０３】
ただし、前記プロセッサ４１は、前述した実施例１又は２の方法のステップを処理できるように設定され、ここで説明を省略する。
【０１０４】
本発明の実施例に係る上記装置は、ソフトウェア機能モジュールの形態で実現され、独立型製品として販売又は使用される場合、コンピュータ読み取り可能な記憶媒体に記憶されてもよい。このような理解に基づき、本発明の実施例の技術的解決手段は本質上、又は従来技術に寄与する部分をソフトウェア製品の形で具現化することができ、該コンピュータソフトウェア製品は記憶媒体に記憶され、幾つかの命令を含み、それにより１台のコンピュータ機器（パーソナルコンピュータ、サーバ、又はネットワーク機器などであってよい）は本発明の各実施例に記載された全て又は一部の方法を実行する。前述した記憶媒体は、Ｕディスク、ポータブルハードディスク、読み取り専用メモリ（ＲＯＭ、Ｒｅａｄ  Ｏｎｌｙ  Ｍｅｍｏｒｙ）、磁気ディスク又は光ディスクなどのプログラムコードを記憶できる様々な媒体を含む。このように、本発明の実施例はいかなる特定のハードウェアとソフトウェアの組み合わせに限定されない。
【０１０５】
本発明の実施例は、コンピュータ記憶媒体を提供し、前記コンピュータ記憶媒体にコンピュータ実行可能命令が記憶されており、前記コンピュータ実行可能命令が実行されるとき、前述した実施例１又は２の方法のステップを実施する。
【０１０６】
例示的な目的のために、本発明の好適な実施例を開示したが、当業者であれば様々な改良、追加及び置き換えを行うこともでき、従って、本発明の範囲は上記実施例に限定されるものではないことを理解されたい。
【図１】
2021520654.tif 000003
【図２】
2021520654.tif 000004
【図３】
2021520654.tif 000005
【図４】
2021520654.tif 000006
【手続補正書】
【提出日】令和3年3月9日(2021.3.9)
【手続補正１】
【補正対象書類名】明細書
【補正対象項目名】全文
【補正方法】変更
【補正の内容】
【発明の詳細な説明】
【技術分野】
【０００１】
本開示は、情報処理技術分野に関し、特に、参照信号（ＲＳ）の決定方法、ネットワーク機器、ユーザ機器（ｕｓｅｒ  ｅｑｕｉｐｍｅｎｔ、ＵＥ）及びコンピュータ記憶媒体に関する。
【背景技術】
【０００２】
従来、ビーム障害検出を実行するために、ユーザ機器（ｕｓｅｒ  ｅｑｕｉｐｍｅｎｔ、ＵＥ）は物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）に対応する参照信号（例えば、ＣＳＩ−ＲＳ、ＳＳ／ＰＢＣＨ  ｂｌｏｃｋなど）を測定する必要があり、以下のような２つの方法が知られている。方法１としては、ＵＥは、ネットワークが設定した１組のＲＳをｂｅａｍ  ｆａｉｌｕｒｅ  ｄｅｔｅｃｔｉｏｎの測定信号として使用する。方法２としては、ネットワークが設定していない場合（即ち方法１を使用しない）、ＵＥ自体が準直交関係（ｑｕａｓｉ  ｃｏ−ｌｏｃａｔｉｏｎ、ＱＣＬ）によって１組のＲＳをｂｅａｍ  ｆａｉｌｕｒｅ  ｄｅｔｅｃｔｉｏｎの測定信号として決定する。
【０００３】
方法２については、従来の解決策には幾つかの問題点がある。１つの制御リソースセット（ＣＯＲＥＳＥＴ、Ｃｏｎｔｒｏｌ  Ｒｅｓｏｕｒｃｅ  Ｓｅｔ）の設定には複数の伝送設定指示（ＴＣＩ、ｔｒａｎｓｍｉｓｓｉｏｎ  ｃｏｎｆｉｇｕｒａｔｉｏｎ  ｉｎｄｉｃａｔｉｏｎ）ｓｔａｔｅｓが含まれる可能性があり、ＵＥが各ＴＣＩ  ｓｔａｔｅｓに指示されたＲＳ信号すべてをｂｅａｍ  ｆａｉｌｕｒｅ  ｄｅｔｅｃｔｉｏｎの測定ＲＳ信号として使用する必要がある場合、２つの問題が生じる。１つの問題はＵＥの複雑さが増すことであり、もう１つの問題は一部のＴＣＩ  ｓｔａｔｅｓに指示されたＱＣＬに関連付けられたｂｅａｍが現在のＰＤＣＣＨの伝送に使用されていないため、このｂｅａｍに対応する参照信号を測定することでＰＤＣＣＨの伝送品質を真に表現することができないことである。
【発明の概要】
【発明が解決しようとする課題】
【０００４】
上記技術的問題を解決するために、本開示の実施例は、参照信号（ＲＳ）の決定方法、ネットワーク機器、ユーザ機器（ＵＥ）及びコンピュータ記憶媒体を提供する。
【課題を解決するための手段】
【０００５】
本開示の実施例は、Ｎ（１以上の整数）個の制御リソースセットをＵＥに設定し、前記Ｎ個の制御リソースセットの少なくとも一部の制御リソースセットのうちの各制御リソースセットにそれぞれ少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩ情報の数Ｋが同じ又は異なるステップと、
前記Ｋ個のＴＣＩ情報のうちの少なくとも１つのＲＳを前記ＵＥに指示するステップと、
を含むネットワーク機器に適用される参照信号ＲＳの決定方法を提供する。
【０００６】
本開示の実施例は、ネットワーク側がＵＥに設定したＮ（１以上の整数）個の制御リソースセットを受信し、前記Ｎ個の制御リソースセットの少なくとも一部の制御リソースセットのうちの各制御リソースセットにそれぞれ少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩ情報の数Ｋが同じ又は異なるステップと、
ネットワーク側が前記ＵＥに指示した前記Ｋ個のＴＣＩ情報のうちの少なくとも１つのＲＳを受信するステップと、
を含むＵＥに適用される参照信号ＲＳの決定方法を提供する。
【０００７】
本開示の実施例は、Ｎ（１以上の整数）個の制御リソースセットをＵＥに設定し、前記Ｎ個の制御リソースセットの少なくとも一部の制御リソースセットのうちの各制御リソースセットにそれぞれ少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩ情報の数Ｋが同じ又は異なり、前記Ｋ個のＴＣＩ情報のうちの少なくとも１つのＲＳを前記ＵＥに指示する第１の通信ユニットを含むネットワーク機器を提供する。
【０００８】
本開示の実施例は、ネットワーク側がＵＥに設定したＮ（１以上の整数）個の制御リソースセットを受信し、前記Ｎ個の制御リソースセットの少なくとも一部の制御リソースセットのうちの各制御リソースセットにそれぞれ少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩ情報の数Ｋが同じ又は異なり、前記ネットワーク側が前記ＵＥに指示した前記Ｋ個のＴＣＩ情報のうちの少なくとも１つのＲＳを受信する第２の通信ユニットを含むＵＥを提供する。
【０００９】
本開示の実施例に係るネットワーク機器は、
プロセッサと、
プロセッサ上で実行可能なコンピュータプログラムを記憶するためのメモリと、を含み、
前記プロセッサは前記コンピュータプログラムを実行するとき、前述した方法のステップを実行するためのものである。
【００１０】
本開示の実施例に係るＵＥは、
プロセッサと、
プロセッサ上で実行可能なコンピュータプログラムを記憶するためのメモリと、を含み、
前記プロセッサは前記コンピュータプログラムを実行するとき、前述した方法のステップを実行するためのものである。
【００１１】
本開示の実施例に係るコンピュータ記憶媒体は、コンピュータ実行可能命令を記憶し、前記コンピュータ実行可能命令が実行されるとき、前述した方法のステップを達成する。
【発明の効果】
【００１２】
本開示の実施例の技術的解決手段によれば、制御リソースセットをＵＥに設定する際に、一部の制御リソースセットのみにＫ個のＴＣＩを設定し、かつＵＥにＫ個のＴＣＩのうちの少なくとも１つのＲＳを指示でき、こうすることにより、ＵＥが全ての制御リソースセット内の全てのＴＣＩに対応するＲＳを測定することを回避し、ＵＥの電力消費を低減でき、かつＵＥによるビーム検出の精度を向上させる。
【図面の簡単な説明】
【００１３】
【図１】本開示の実施例に係るＲＳの決定方法のフローチャート１である。
【図２】本開示の実施例に係るＲＳの決定方法のフローチャート２である。
【図３】本開示の実施例のユーザ機器ＵＥの構成を示す模式図である。
【図４】本開示の実施例によるハードウェアアーキテクチャを示す模式図である。
【発明を実施するための形態】
【００１４】
本開示の実施例の特徴及び技術的内容をより詳しく説明するために、まず本開示の実施例に係るＲＳとはＲＳ信号、又はＲＳリソース、又はＲＳリソースグループを意味してよいことを明確にする必要があり、例えば、ＣＳＩ−ＲＳリソース、ＳＳ／ＰＢＣＨブロックの指示（Ｉｎｄｅｘ）、又はＣＳＩ−ＲＳリソースグループ標識などは、いずれも本開示の実施例におけるＲＳの概念的な範囲内のものであるが、網羅的なものではない。
【００１５】
以下、添付図面を参照しながら、本開示の実施例の実施形態について詳細に説明し、添付図面はあくまでも説明するためのものであり、本開示の実施例を限定するためのものではない。
【実施例１】
【００１６】
本開示の実施例は、図１に示すように、Ｎ（１以上の整数）個の制御リソースセットをＵＥに設定し、前記Ｎ個の制御リソースセットの少なくとも一部の制御リソースセットのうちの各制御リソースセットにそれぞれ少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩ情報の数Ｋが同じ又は異なるステップ１０１と、
前記Ｋ個のＴＣＩ情報のうちの少なくとも１つのＲＳを前記ＵＥに指示するステップ１０２と、
を含むネットワーク機器に適用されるＲＳの決定方法を提供する。
【００１７】
ここで、前記少なくとも一部の制御リソースセットにおける異なる制御リソースセットに設定したＴＣＩの数が同じ又は異なり、つまり、少なくとも一部の制御リソースセット（ＣＯＲＥＳＥＴ、Ｃｏｎｔｒｏｌ  Ｒｅｓｏｕｒｃｅ  Ｓｅｔ）における異なるＣＯＲＥＳＥＴに設定したＫ個のＴＣＩに対応するＫは同じであっても異なってもよい。
【００１８】
ＮＲシステムでは、ネットワークは、１つ又は複数のＣＯＲＥＳＥＴを設定してよく、各ＣＯＲＥＳＥＴは、時間周波数リソース（例えばどの周波数領域リソースを占有するか、連続した時間領域シンボルを幾つ占有するか）、及びアンテナポートＱＣＬ（ｑｕａｓｉ  ｃｏ−ｌｏｃａｔｉｏｎ）のような他の設定を含んでよく、ＱＣＬはＰＤＣＣＨにより受信したＤＭ−ＲＳアンテナポートに用いられる上位層パラメータＴＣＩで提供される。
【００１９】
また、前記方法は、ＵＥがＰＤＣＣＨに対応する制御リソースセットのＫ個のＴＣＩ情報のうちの少なくとも１つのＲＳを検出するためのＭ個のサーチスペースをＵＥに設定し、かつ前記少なくとも一部の制御リソースセットが前記Ｍ個のサーチスペースのうちの少なくとも１つのサーチスペースに関連付けられるステップをさらに含んでもよい。
【００２０】
つまり、少なくとも一部の制御リソースセットＣＯＲＥＳＥＴを設定した後、ＵＥに少なくとも一部のＣＯＲＥＳＥＴに関連付けられたサーチスペースＳｅａｒｃｈ  Ｓｐａｃｅを指示する必要があり、その後、ＵＥは対応するＰＤＣＣＨを検出する。
【００２１】
以下、上記の説明に基づいて様々な処理シナリオをそれぞれ実行する。
【００２２】
［シナリオ１］
１つのＣＯＲＥＳＥＴに複数のＴＣＩ  ｓｔａｔｅｓを設定するとき、有効化されたＴＣＩ  ｓｔａｔｅに対応するＲＳをｂｅａｍ  ｆａｉｌｕｒｅ  ｄｅｔｅｃｔｉｏｎの測定ＲＳとして用いる。
【００２３】
ネットワークは、ＵＥにＮ個のＣＯＲＥＳＥＴを設定し、ただし、ＣＯＲＥＳＥＴ  ＸにＫ個のＴＣＩ  ｓｔａｔｅｓが設定されている。ネットワークは、ＵＥがＰＤＣＣＨを監視（ｍｏｎｉｔｏｒ）するようにＭ個のサーチスペースＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００２４】
本シナリオでは、採用されるＲＳをどのように指示するかについて、前記Ｋ個のＴＣＩ情報のうちの少なくとも１つのＲＳを前記ＵＥに指示する方法を採用し、前記方法は、
前記Ｋ個のＴＣＩ情報のうち、ＭＡＣ  ＣＥシグナリングによって有効化されたＴＣＩ情報が指示するＲＳを指示すること、及び
前記Ｋ個のＴＣＩ情報のうち、ＤＣＩによって指示されたＴＣＩ情報が指示するＲＳを指示すること、のいずれか一方を含む。
【００２５】
具体的には、ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、Ｋ個のＴＣＩ  ｓｔａｔｅｓからどのＴＣＩ  ｓｔａｔｅｓに指示されるＲＳを用いるかを決定する必要があり、その決定方法の選択肢は、
Ｋ個のＴＣＩ  ｓｔａｔｅｓのうち、ＭＡＣ  ＣＥシグナリングの指示によって有効化されたものと、
Ｋ個のＴＣＩ  ｓｔａｔｅｓのうち、ＤＣＩの指示によって有効化されたものと、がある。
【００２６】
［シナリオ２］
１つのＴＣＩ  ｓｔａｔｅｓが１つのＱＣＬ情報を指示するとき、スペース相関ＱＣＬに関連付けられたＲＳをｂｅａｍ  ｆａｉｌｕｒｅ  ｄｅｔｅｃｔｉｏｎの測定ＲＳとして用いる。
【００２７】
前記方法は、少なくとも２つのＲＳ情報に対応するＱＣＬ情報をＴＣＩに指示するステップをさらに含み、ただし、少なくとも２つのＲＳ情報が指示するＲＳは同じ又は異なり、かつ異なるＲＳ情報が異なるＱＣＬパラメータタイプに対応する。
【００２８】
つまり、ネットワークは、ＵＥにＮ個のＣＯＲＥＳＥＴを設定し、ただし、ＣＯＲＥＳＥＴ  Ｘに異なるＱＣＬパラメータタイプに対応する２つのＲＳに対応する１つのＱＣＬ情報を指示する１つのＴＣＩ  ｓｔａｔｅが設定されており、なお、ＱＣＬ情報に含まれる２つのＲＳ情報は同じＲＳを指示してよいが、各ＲＳはそれぞれ異なるＱＣＬパラメータタイプに対応してよい。
【００２９】
１つのＴＣＩ  ｓｔａｔｅが１つのＱＣＬ情報を指示する場合、１つ又は２つのＲＳを設定する可能性があり、各ＲＳに対応するＱＣＬパラメータタイプが異なり、例えば２つのＲＳが１組のＱＣＬ情報を構成し、ＲＳ１がＱＣＬ−ＴｙｐｅＡに対応し、ＲＳ２がＱＣＬ−ＴｙｐｅＤに対応する。
【００３０】
ＱＣＬタイプとしては、以下が挙げられる。
ＱＣＬ−タイプＴｙｐｅＡ：｛ドップラーシフトＤｏｐｐｌｅｒ  ｓｈｉｆｔ、ドップラー範囲Ｄｏｐｐｌｅｒ  ｓｐｒｅａｄ、平均遅延ａｖｅｒａｇｅ  ｄｅｌａｙ、遅延範囲ｄｅｌａｙ  ｓｐｒｅａｄ｝、
ＱＣＬ−タイプＴｙｐｅＢ：｛ドップラーシフトＤｏｐｐｌｅｒ  ｓｈｉｆｔ、ドップラー範囲Ｄｏｐｐｌｅｒ  ｓｐｒｅａｄ｝、
ＱＣＬ−ＴｙｐｅＣ：｛平均遅延ａｖｅｒａｇｅ  ｄｅｌａｙ、ドップラーシフトＤｏｐｐｌｅｒ  ｓｈｉｆｔ｝、
ＱＣＬ−ＴｙｐｅＤ：  ｛スペースＳｐａｔｉａｌ  Ｒｘ  パラメータｐａｒａｍｅｔｅｒ｝。
【００３１】
ネットワークは、ＵＥがＰＤＣＣＨを監視（ｍｏｎｉｔｏｒ）するようにＭ個のＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００３２】
ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、そのＴＣＩ  ｓｔａｔｅｓに指示される２つのＲＳからどのＲＳを用いるかを決定する必要があり、前記の目標ＴＣＩのうちの１つのＲＳを用いるようにＵＥに指示することは、
前記目標ＴＣＩに含まれる少なくとも２つのＲＳのうち、スペースＱＣＬパラメータに対応するＲＳを用い、つまり、２つのＲＳのうち、スペースＱＣＬ情報に対応するＲＳを用いること、
前記目標ＴＣＩに含まれる少なくとも２つのＲＳのうち、スペースＱＣＬパラメータに対応しないＲＳを用い、つまり、２つのＲＳのうち、スペースＱＣＬ情報に対応しないＲＳを用いること、
前記目標ＴＣＩに含まれる少なくとも２つのＲＳのうち、ＵＥにＲＳを選択させること、
前記目標ＴＣＩに含まれる少なくとも２つのＲＳのうち、ＲＳの番号によって用いられるＲＳを決定し、例えば、２つのＲＳのうち、ＲＳの番号によってどれを用いるかを決定し、例示的には、ＲＳのうち番号の小さいものを選択してもよいし番号の大きいものを選択してもよく、実際の状況に応じて設定することができること、及び
前記目標ＴＣＩに含まれる少なくとも２つのＲＳのうち、設定シグナリングにおけるＲＳの位置によって用いられるＲＳを決定し、例えば、２つのＲＳのうち、設定シグナリングにおけるＲＳの位置によってどれを用いるかを決定し、例示的には、前に位置するものを決定してもよいし後ろに位置するものを決定してもよいこと、のいずれかを含む。
【００３３】
前述した解決手段に基づき、ＵＥが、用いるＲＳを取得した後、前記ＲＳはそれを測定することによってその対応するＰＤＣＣＨに対応するリンクの品質が所定の閾値を満たすか否かを決定するために用いられる。
【００３４】
具体的には、ビーム障害回復プロセス（ｂｅａｍ  ｆａｉｌｕｒｅ  ｒｅｃｏｖｅｒｙ）、又はリンク再設定プロセス（Ｌｉｎｋ  ｒｅｃｏｎｆｉｇｕｒａｔｉｏｎ  ｐｒｏｃｅｄｕｒｅｓ）に該ＲＳを用いることができる。例えば、ＵＥはＣＳＩ−ＲＳ及び／又はＳＳ／ＰＢＣＨ  ｂｌｏｃｋを測定することで、対応するＰＤＣＣＨに対応するリンクの品質が所定／設定の閾値（Ｈｙｐｏｔｈｅｔｉｃａｌ  ＢＬＥＲ性能が閾値を下回る）を満たすか否かを判断し、ＵＥはＣＳＩ−ＲＳ及び／又はＳＳ／ＰＢＣＨ  ｂｌｏｃｋによって所定／設定の閾値を満たす新たなｂｅａｍ（Ｌ１−ＲＳＰＲ性能が閾値を上回る）を新たに選択し、ＵＥは新たなｂｅａｍに対応する物理ランダムアクセスチャネル（ｐｈｙｓｉｃａｌ  ｒａｎｄｏｍ  ａｃｃｅｓｓ  ｃｈａｎｎｅｌ、ＰＲＡＣＨ）を選択して伝送を開始し、又は物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）によってその選択された新たなｂｅａｍを報知し、ＵＥはネットワークの応答を検出する。
【００３５】
さらに、ここで言及されるビーム（Ｂｅａｍ）は、実際にはｂｅａｍにて搬送される信号の情報によって表現されるものであり、実際に使用するとき、ＣＳＩ−ＲＳリソース（ｒｅｓｏｕｒｃｅ）又は同期信号（ＳＳ）ブロック／ＰＢＣＨブロックｂｌｏｃｋ指示ｉｎｄｅｘによって表現されることに留意されたい。
【００３６】
明らかに、上記解決手段を採用することにより、制御リソースセットをＵＥに設定する際に、一部の制御リソースセットのみにＫ個のＴＣＩを設定し、かつＵＥにＫ個のＴＣＩのうちの少なくとも１つのＲＳを指示でき、こうすることにより、ＵＥが全ての制御リソースセット内の全てのＴＣＩに対応するＲＳを測定することを回避し、ＵＥの電力消費を低減でき、かつＵＥによるビーム検出の精度を向上させる。
【実施例２】
【００３７】
本開示の実施例は、図２に示すように、ネットワーク側がＵＥに設定したＮ（１以上の整数）個の制御リソースセットを受信し、前記Ｎ個の制御リソースセットの少なくとも一部の制御リソースセットのうちの各制御リソースセットにそれぞれ少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩ情報の数Ｋが同じ又は異なるステップ２０１と、
ネットワーク側が前記ＵＥに指示した前記Ｋ個のＴＣＩ情報のうちの少なくとも１つのＲＳを受信するステップ２０２と、
を含むＵＥに適用されるＲＳの決定方法を提供する。
【００３８】
ここで、前記少なくとも一部の制御リソースセットにおける異なる制御リソースセットに設定したＴＣＩの数が同じ又は異なり、つまり、少なくとも一部の制御リソースセット（ＣＯＲＥＳＥＴ、Ｃｏｎｔｒｏｌ  Ｒｅｓｏｕｒｃｅ  Ｓｅｔ）における異なるＣＯＲＥＳＥＴに設定したＫ個のＴＣＩに対応するＫは同じであっても異なってもよい。
【００３９】
ＮＲシステムでは、ネットワークは、１つ又は複数のＣＯＲＥＳＥＴを設定してよく、各ＣＯＲＥＳＥＴは、時間周波数リソース（例えばどの周波数領域リソースを占有するか、連続した時間領域シンボルを幾つ占有するか）、及びアンテナポートＱＣＬ（ｑｕａｓｉ  ｃｏ−ｌｏｃａｔｉｏｎ）のような他の設定を含んでよく、ＱＣＬは、ＰＤＣＣＨにより受信したＤＭ−ＲＳアンテナポートに用いられる上位層パラメータＴＣＩで提供される。
【００４０】
また、前記方法は、ネットワーク側がＵＥに設定したＭ個のサーチスペースを受信し、かつ前記少なくとも一部の制御リソースセットが前記Ｍ個のサーチスペースのうちの少なくとも１つのサーチスペースに関連付けられるステップと、
設定した前記Ｍ個のサーチスペースに基づき、ＰＤＣＣＨに対応する制御リソースセットのＫ個のＴＣＩ情報のうちの少なくとも１つのＲＳを検出するステップと、をさらに含んでもよい。
【００４１】
つまり、少なくとも一部の制御リソースセットＣＯＲＥＳＥＴを設定した後、ＵＥに少なくとも一部のＣＯＲＥＳＥＴに関連付けられたサーチスペースＳｅａｒｃｈ  Ｓｐａｃｅを指示する必要があり、その後、ＵＥは対応するＰＤＣＣＨを検出する。
【００４２】
以下、上記の説明に基づいて様々な処理シナリオをそれぞれ実行する。
【００４３】
［シナリオ１］
１つのＣＯＲＥＳＥＴに複数のＴＣＩ  ｓｔａｔｅｓを設定するとき、有効化されたＴＣＩ  ｓｔａｔｅに対応するＲＳをｂｅａｍ  ｆａｉｌｕｒｅ  ｄｅｔｅｃｔｉｏｎの測定ＲＳとして用いる。
【００４４】
ネットワークは、ＵＥにＮ個のＣＯＲＥＳＥＴを設定し、ただし、ＣＯＲＥＳＥＴ  ＸにＫ個のＴＣＩ  ｓｔａｔｅｓが設定されている。ネットワークは、ＵＥがＰＤＣＣＨを監視（ｍｏｎｉｔｏｒ）するようにＭ個のサーチスペースＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００４５】
本シナリオでは、採用されるＲＳをどのように指示するかについて、前記Ｋ個のＴＣＩ情報のうちの少なくとも１つのＲＳを前記ＵＥに指示する方法を採用し、前記方法は、
ネットワーク側がＭＡＣ  ＣＥシグナリングによって有効化された、前記Ｋ個のＴＣＩ情報のうちの１つのＴＣＩ情報が指示するＲＳを受信すること、及び
ネットワーク側がＤＣＩによって有効化された、前記Ｋ個のＴＣＩ情報のうちの１つのＴＣＩ情報が指示するＲＳを受信すること、のいずれか一方を含む。
【００４６】
具体的には、ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、Ｋ個のＴＣＩ  ｓｔａｔｅｓからどのＴＣＩ  ｓｔａｔｅｓに指示されるＲＳを用いるかを決定する必要があり、その決定方法の選択肢は、
Ｋ個のＴＣＩ  ｓｔａｔｅｓのうち、ＭＡＣ  ＣＥシグナリングの指示によって有効化されたものと、
Ｋ個のＴＣＩ  ｓｔａｔｅｓのうち、ＤＣＩの指示によって有効化されたものと、がある。
【００４７】
［シナリオ２］
１つのＴＣＩ  ｓｔａｔｅｓが１つのＱＣＬ情報を指示するとき、スペース相関ＱＣＬに関連付けられたＲＳをｂｅａｍ  ｆａｉｌｕｒｅ  ｄｅｔｅｃｔｉｏｎの測定ＲＳとして用いる。
【００４８】
前記方法は、ネットワーク側がＴＣＩに指示した、少なくとも２つのＲＳ情報に対応するＱＣＬ情報を受信するステップをさらに含み、
ただし、少なくとも２つのＲＳ情報が指示するＲＳは同じ又は異なり、かつ異なるＲＳ情報が異なるＱＣＬパラメータタイプに対応する。
【００４９】
つまり、ネットワークは、ＵＥにＮ個のＣＯＲＥＳＥＴを設定し、ただし、ＣＯＲＥＳＥＴ  Ｘに異なるＱＣＬパラメータタイプに対応する２つのＲＳに対応する１つのＱＣＬ情報を指示する１つのＴＣＩ  ｓｔａｔｅが設定されており、なお、ＱＣＬ情報に含まれる２つのＲＳ情報は同じＲＳを指示してよいが、各ＲＳはそれぞれ異なるＱＣＬパラメータタイプに対応してよい。
【００５０】
１つのＴＣＩ  ｓｔａｔｅが１つのＱＣＬ情報を指示する場合、１つ又は２つのＲＳを設定する可能性があり、各ＲＳに対応するＱＣＬパラメータタイプが異なり、例えば２つのＲＳが１組のＱＣＬ情報を構成し、ＲＳ１がＱＣＬ−ＴｙｐｅＡに対応し、ＲＳ２がＱＣＬ−ＴｙｐｅＤに対応する。
【００５１】
ＱＣＬタイプとしては、以下が挙げられる。
ＱＣＬ−タイプＴｙｐｅＡ：｛ドップラーシフトＤｏｐｐｌｅｒ  ｓｈｉｆｔ、ドップラー範囲Ｄｏｐｐｌｅｒ  ｓｐｒｅａｄ、平均遅延ａｖｅｒａｇｅ  ｄｅｌａｙ、遅延範囲ｄｅｌａｙ  ｓｐｒｅａｄ｝、
ＱＣＬ−タイプＴｙｐｅＢ：｛ドップラーシフトＤｏｐｐｌｅｒ  ｓｈｉｆｔ、ドップラー範囲Ｄｏｐｐｌｅｒ  ｓｐｒｅａｄ｝、
ＱＣＬ−ＴｙｐｅＣ：｛平均遅延ａｖｅｒａｇｅ  ｄｅｌａｙ、ドップラーシフトＤｏｐｐｌｅｒ  ｓｈｉｆｔ｝、
ＱＣＬ−ＴｙｐｅＤ：  ｛スペースＳｐａｔｉａｌ  Ｒｘ  パラメータｐａｒａｍｅｔｅｒ｝。
【００５２】
ネットワークは、ＵＥがＰＤＣＣＨを監視（ｍｏｎｉｔｏｒ）するようにＭ個のＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００５３】
ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、そのＴＣＩ  ｓｔａｔｅｓに指示される２つのＲＳからどのＲＳを用いるかを決定する必要があり、前記の目標ＴＣＩのうちの１つのＲＳを用いるようにＵＥに指示することは、
前記目標ＴＣＩに含まれる少なくとも２つのＲＳのうち、スペースＱＣＬパラメータに対応するＲＳを用い、つまり、２つのＲＳのうち、スペースＱＣＬ情報に対応するＲＳを用いること、
前記目標ＴＣＩに含まれる少なくとも２つのＲＳのうち、スペースＱＣＬパラメータに対応しないＲＳを用い、つまり、２つのＲＳのうち、スペースＱＣＬ情報に対応しないＲＳを用いること、
前記目標ＴＣＩに含まれる少なくとも２つのＲＳのうち、ＵＥにＲＳを選択させること、
前記目標ＴＣＩに含まれる少なくとも２つのＲＳのうち、ＲＳの番号によって用いられるＲＳを決定し、例えば、２つのＲＳのうち、ＲＳの番号によってどれを用いるかを決定し、例示的には、ＲＳのうち番号の小さいものを選択してもよいし番号の大きいものを選択してもよく、実際の状況に応じて設定することができること、及び
前記目標ＴＣＩに含まれる少なくとも２つのＲＳのうち、設定シグナリングにおけるＲＳの位置によって用いられるＲＳを決定し、例えば、２つのＲＳのうち、設定シグナリングにおけるＲＳの位置によってどれを用いるかを決定し、例示的には、前に位置するものを決定してもよいし後ろに位置するものを決定してもよいこと、のいずれかを含む。
【００５４】
前述した解決手段に基づき、ＵＥが、用いるＲＳを取得した後、前記ＲＳはそれを測定することによってその対応するＰＤＣＣＨに対応するリンクの品質が所定の閾値を満たすか否かを決定するために用いられる。
【００５５】
具体的には、ビーム障害回復プロセス（ｂｅａｍ  ｆａｉｌｕｒｅ  ｒｅｃｏｖｅｒｙ）、又はリンク再設定プロセス（Ｌｉｎｋ  ｒｅｃｏｎｆｉｇｕｒａｔｉｏｎ  ｐｒｏｃｅｄｕｒｅｓ）に該ＲＳを用いることができる。例えば、ＵＥはＣＳＩ−ＲＳ及び／又はＳＳ／ＰＢＣＨ  ｂｌｏｃｋを測定することで、対応するＰＤＣＣＨに対応するリンクの品質が所定／設定の閾値（Ｈｙｐｏｔｈｅｔｉｃａｌ  ＢＬＥＲ性能が閾値を下回る）を満たすか否かを判断し、ＵＥはＣＳＩ−ＲＳ及び／又はＳＳ／ＰＢＣＨ  ｂｌｏｃｋによって所定／設定の閾値を満たす新たなｂｅａｍ（Ｌ１−ＲＳＰＲ性能が閾値を上回る）を新たに選択し、ＵＥは新たなｂｅａｍに対応するＰＲＡＣＨを選択して伝送を開始し、又はＰＵＣＣＨによってその選択された新たなｂｅａｍを報知し、ＵＥはネットワークの応答を検出する。
【００５６】
さらに、ここで言及されるビーム（Ｂｅａｍ）は、実際にはｂｅａｍにて搬送される信号の情報によって表現されるものであり、実際に使用するとき、ＣＳＩ−ＲＳリソース（ｒｅｓｏｕｒｃｅ）又は同期信号（ＳＳ）ブロック／ＰＢＣＨブロックｂｌｏｃｋ指示ｉｎｄｅｘによって表現されることに留意されたい。
【００５７】
明らかに、上記解決手段を採用することにより、制御リソースセットをＵＥに設定する際に、一部の制御リソースセットのみにＫ個のＴＣＩを設定し、かつＵＥにＫ個のＴＣＩのうちの少なくとも１つのＲＳを指示でき、こうすることにより、ＵＥが全ての制御リソースセット内の全てのＴＣＩに対応するＲＳを測定することを回避し、ＵＥの電力消費を低減でき、かつＵＥによるビーム検出の精度を向上させる。
【実施例３】
【００５８】
本開示の実施例は、Ｎ（１以上の整数）個の制御リソースセットをＵＥに設定し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なり、前記Ｋ個のＴＣＩ情報のうちの少なくとも１つのＲＳを前記ＵＥに指示する第１の通信ユニットを含むネットワーク機器を提供する。
【００５９】
ここで、前記少なくとも一部の制御リソースセットにおける異なる制御リソースセットに設定したＴＣＩの数が同じ又は異なり、つまり、少なくとも一部の制御リソースセット（ＣＯＲＥＳＥＴ、Ｃｏｎｔｒｏｌ  Ｒｅｓｏｕｒｃｅ  Ｓｅｔ）における異なるＣＯＲＥＳＥＴに設定したＫ個のＴＣＩに対応するＫは同じであっても異なってもよい。
【００６０】
ＮＲシステムでは、ネットワークは、１つ又は複数のＣＯＲＥＳＥＴを設定してよく、各ＣＯＲＥＳＥＴは、時間周波数リソース（例えばどの周波数領域リソースを占有するか、連続した時間領域シンボルを幾つ占有するか）、及びアンテナポートＱＣＬ（ｑｕａｓｉ  ｃｏ−ｌｏｃａｔｉｏｎ）のような他の設定を含んでよく、ＱＣＬはＰＤＣＣＨにより受信したＤＭ−ＲＳアンテナポートに用いられる上位層パラメータＴＣＩで提供される。
【００６１】
また、前記第１の通信ユニットは、ＵＥがＰＤＣＣＨに対応する制御リソースセットのＫ個のＴＣＩ情報のうちの少なくとも１つのＲＳを検出するためのＭ個のサーチスペースをＵＥに設定し、かつ前記少なくとも一部の制御リソースセットが前記Ｍ個のサーチスペースのうちの少なくとも１つのサーチスペースに関連付けられる。
【００６２】
つまり、少なくとも一部の制御リソースセットＣＯＲＥＳＥＴを設定した後、ＵＥに少なくとも一部のＣＯＲＥＳＥＴに関連付けられたサーチスペースＳｅａｒｃｈ  Ｓｐａｃｅを指示する必要があり、その後、ＵＥは対応するＰＤＣＣＨを検出する。
【００６３】
以下、上記の説明に基づいて様々な処理シナリオをそれぞれ実行する。
【００６４】
［シナリオ１］
１つのＣＯＲＥＳＥＴに複数のＴＣＩ  ｓｔａｔｅｓを設定するとき、有効化されたＴＣＩ  ｓｔａｔｅに対応するＲＳをｂｅａｍ  ｆａｉｌｕｒｅ  ｄｅｔｅｃｔｉｏｎの測定ＲＳとして用いる。
【００６５】
ネットワークは、ＵＥにＮ個のＣＯＲＥＳＥＴを設定し、ただし、ＣＯＲＥＳＥＴ  ＸにＫ個のＴＣＩ  ｓｔａｔｅｓが設定されている。ネットワークは、ＵＥがＰＤＣＣＨを監視（ｍｏｎｉｔｏｒ）するようにＭ個のサーチスペースＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００６６】
本シナリオでは、採用されるＲＳをどのように指示するかについて、第１の通信ユニットは、
前記Ｋ個のＴＣＩ情報のうち、ＭＡＣ  ＣＥシグナリングによって有効化されたＴＣＩ情報が指示するＲＳと、
前記Ｋ個のＴＣＩ情報のうち、ＤＣＩによって指示されたＴＣＩ情報が指示するＲＳと、のいずれか一方を含む。
【００６７】
具体的には、ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、Ｋ個のＴＣＩ  ｓｔａｔｅｓからどのＴＣＩ  ｓｔａｔｅｓに指示されるＲＳを用いるかを決定する必要があり、その決定方法の選択肢は、
Ｋ個のＴＣＩ  ｓｔａｔｅｓのうち、ＭＡＣ  ＣＥシグナリングの指示によって有効化されたもの、
Ｋ個のＴＣＩ  ｓｔａｔｅｓのうち、ＤＣＩの指示によって有効化されたもの、がある。
【００６８】
［シナリオ２］
１つのＴＣＩ  ｓｔａｔｅｓが１つのＱＣＬ情報を指示するとき、スペース相関ＱＣＬに関連付けられたＲＳをｂｅａｍ  ｆａｉｌｕｒｅ  ｄｅｔｅｃｔｉｏｎの測定ＲＳとして用いる。
【００６９】
前記第１の通信ユニットは、少なくとも２つのＲＳ情報に対応するＱＣＬ情報をＴＣＩに指示し、ただし、少なくとも２つのＲＳ情報が指示するＲＳは同じ又は異なり、かつ異なるＲＳ情報が異なるＱＣＬパラメータタイプに対応する。
【００７０】
つまり、ネットワークは、ＵＥにＮ個のＣＯＲＥＳＥＴを設定し、ただし、ＣＯＲＥＳＥＴ  Ｘに異なるＱＣＬパラメータタイプに対応する２つのＲＳに対応する１つのＱＣＬ情報を指示する１つのＴＣＩ  ｓｔａｔｅが設定されており、なお、ＱＣＬ情報に含まれる２つのＲＳ情報は同じＲＳを指示してよいが、各ＲＳはそれぞれ異なるＱＣＬパラメータタイプに対応してよい。
【００７１】
１つのＴＣＩ  ｓｔａｔｅが１つのＱＣＬ情報を指示する場合、１つ又は２つのＲＳを設定する可能性があり、各ＲＳに対応するＱＣＬパラメータタイプが異なり、例えば２つのＲＳが１組のＱＣＬ情報を構成し、ＲＳ１がＱＣＬ−ＴｙｐｅＡに対応し、ＲＳ２がＱＣＬ−ＴｙｐｅＤに対応する。
【００７２】
ＱＣＬタイプとしては、以下が挙げられる。
ＱＣＬ−タイプＴｙｐｅＡ：｛ドップラーシフトＤｏｐｐｌｅｒ  ｓｈｉｆｔ、ドップラー範囲Ｄｏｐｐｌｅｒ  ｓｐｒｅａｄ、平均遅延ａｖｅｒａｇｅ  ｄｅｌａｙ、遅延範囲ｄｅｌａｙ  ｓｐｒｅａｄ｝、
ＱＣＬ−タイプＴｙｐｅＢ：｛ドップラーシフトＤｏｐｐｌｅｒ  ｓｈｉｆｔ、ドップラー範囲Ｄｏｐｐｌｅｒ  ｓｐｒｅａｄ｝、
ＱＣＬ−ＴｙｐｅＣ：｛平均遅延ａｖｅｒａｇｅ  ｄｅｌａｙ、ドップラーシフトＤｏｐｐｌｅｒ  ｓｈｉｆｔ｝、
ＱＣＬ−ＴｙｐｅＤ：  ｛スペースＳｐａｔｉａｌ  Ｒｘ  パラメータｐａｒａｍｅｔｅｒ｝。
【００７３】
ネットワークは、ＵＥがＰＤＣＣＨを監視（ｍｏｎｉｔｏｒ）するようにＭ個のＳｅａｒｃｈ  ｓｐａｃｅを設定し、ただし、ＣＯＲＥＳＥＴ  Ｘが１つ又は複数のＳｅａｒｃｈ  ｓｐａｃｅに関連付けられる。
【００７４】
ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、そのＴＣＩ  ｓｔａｔｅｓに指示される２つのＲＳからどのＲＳを用いるかを決定する必要があり、前記の目標ＴＣＩのうちの１つのＲＳを用いるようにＵＥに指示することについて、第１の通信ユニットは、
前記目標ＴＣＩに含まれる少なくとも２つのＲＳのうち、スペースＱＣＬパラメータに対応するＲＳを用い、つまり、２つのＲＳのうち、スペースＱＣＬ情報に対応するＲＳを用いること、
前記目標ＴＣＩに含まれる少なくとも２つのＲＳのうち、スペースＱＣＬパラメータに対応しないＲＳを用い、つまり、２つのＲＳのうち、スペースＱＣＬ情報に対応しないＲＳを用いること、
前記目標ＴＣＩに含まれる少なくとも２つのＲＳのうち、ＵＥにＲＳを選択させること、
前記目標ＴＣＩに含まれる少なくとも２つのＲＳのうち、ＲＳの番号によって用いられるＲＳを決定し、例えば、２つのＲＳのうち、ＲＳの番号によってどれを用いるかを決定し、例示的には、ＲＳのうち番号の小さいものを選択してもよいし番号の大きいものを選択してもよく、実際の状況に応じて設定することができること、及び
前記目標ＴＣＩに含まれる少なくとも２つのＲＳのうち、設定シグナリングにおけるＲＳの位置によって用いられるＲＳを決定し、例えば、２つのＲＳのうち、設定シグナリングにおけるＲＳの位置によってどれを用いるかを決定し、例示的には、前に位置するものを決定してもよいし後ろに位置するものを決定してもよいこと、のいずれかを含む。
【００７５】
前述した解決手段に基づき、ＵＥが、用いるＲＳを取得した後、前記ＲＳは、それを測定することによってその対応するＰＤＣＣＨに対応するリンクの品質が所定の閾値を満たすか否かを決定するために用いられる。
【００７６】
具体的には、ビーム障害回復プロセス（ｂｅａｍ  ｆａｉｌｕｒｅ  ｒｅｃｏｖｅｒｙ）、又はリンク再設定プロセス（Ｌｉｎｋ  ｒｅｃｏｎｆｉｇｕｒａｔｉｏｎ  ｐｒｏｃｅｄｕｒｅｓ）に該ＲＳを用いることができる。例えば、ＵＥはＣＳＩ−ＲＳ及び／又はＳＳ／ＰＢＣＨ  ｂｌｏｃｋを測定することで、対応するＰＤＣＣＨに対応するリンクの品質が所定／設定の閾値（Ｈｙｐｏｔｈｅｔｉｃａｌ  ＢＬＥＲ性能が閾値を下回る）を満たすか否かを判断し、ＵＥはＣＳＩ−ＲＳ及び／又はＳＳ／ＰＢＣＨ  ｂｌｏｃｋによって所定／設定の閾値を満たす新たなｂｅａｍ（Ｌ１−ＲＳＰＲ性能が閾値を上回る）を新たに選択し、ＵＥは新たなｂｅａｍに対応するＰＲＡＣＨを選択して伝送を開始し、又はＰＵＣＣＨによってその選択された新たなｂｅａｍを報知し、ＵＥはネットワークの応答を検出する。
【００７７】
さらに、ここで言及されるビーム（Ｂｅａｍ）は、実際にはｂｅａｍにて搬送される信号の情報によって表現されるものであり、実際に使用するとき、ＣＳＩ−ＲＳリソース（ｒｅｓｏｕｒｃｅ）又は同期信号（ＳＳ）ブロック／ＰＢＣＨブロックｂｌｏｃｋ指示ｉｎｄｅｘによって表現されることに留意されたい。
【００７８】
明らかに、上記解決手段を採用することにより、制御リソースセットをＵＥに設定する際に、一部の制御リソースセットのみにＫ個のＴＣＩを設定し、かつＵＥにＫ個のＴＣＩのうちの少なくとも１つのＲＳを指示でき、こうすることにより、ＵＥが全ての制御リソースセット内の全てのＴＣＩに対応するＲＳを測定することを回避し、ＵＥの電力消費を低減でき、かつＵＥによるビーム検出の精度を向上させる。
【実施例４】
【００７９】
本開示の実施例は、図３に示すように、ネットワーク側がＵＥに設定したＮ（１以上の整数）個の制御リソースセットを受信し、前記Ｎ個の制御リソースセットのうちの少なくとも一部の制御リソースセットに少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩの数が同じ又は異なり、ネットワーク側が前記ＵＥに指示した前記Ｋ個のＴＣＩ情報のうちの少なくとも１つのＲＳを受信する第２の通信ユニット３１を含むＵＥを提供する。
【００８０】
ここで、前記少なくとも一部の制御リソースセットにおける異なる制御リソースセットに設定したＴＣＩの数が同じ又は異なり、つまり、少なくとも一部の制御リソースセット（ＣＯＲＥＳＥＴ、Ｃｏｎｔｒｏｌ  Ｒｅｓｏｕｒｃｅ  Ｓｅｔ）における異なるＣＯＲＥＳＥＴに設定したＫ個のＴＣＩに対応するＫは同じであっても異なってもよい。
【００８１】
ＮＲシステムでは、ネットワークは、１つ又は複数のＣＯＲＥＳＥＴを設定してよく、各ＣＯＲＥＳＥＴは、時間周波数リソース（例えばどの周波数領域リソースを占有するか、連続した時間領域シンボルを幾つ占有するか）、及びアンテナポートＱＣＬ（ｑｕａｓｉ  ｃｏ−ｌｏｃａｔｉｏｎ）のような他の設定を含んでよく、ＱＣＬはＰＤＣＣＨにより受信したＤＭ−ＲＳアンテナポートに用いられる上位層パラメータＴＣＩで提供される。
【００８２】
また、前記ＵＥは、
ネットワーク側がＵＥに設定したＭ個のサーチスペースを受信し、かつ前記少なくとも一部の制御リソースセットがＭ個のサーチスペースのうちの少なくとも１つのサーチスペースに関連付けられる第２の通信ユニット３１と、
設定した前記Ｍ個のサーチスペースに基づき、ＰＤＣＣＨに対応する制御リソースセットのＫ個のＴＣＩ情報のうちの少なくとも１つのＲＳを検出する前記第２の処理ユニット３２と、をさらに含む。
【００８３】
つまり、少なくとも一部の制御リソースセットＣＯＲＥＳＥＴを設定した後、ＵＥに少なくとも一部のＣＯＲＥＳＥＴに関連付けられたサーチスペースＳｅａｒｃｈ  Ｓｐａｃｅを指示する必要があり、その後、ＵＥは対応するＰＤＣＣＨを検出する。
【００８４】
以下、上記の説明に基づいて様々な処理シナリオをそれぞれ実行する。
【００８５】
［シナリオ１］
１つのＣＯＲＥＳＥＴに複数のＴＣＩ  ｓｔａｔｅｓを設定するとき、有効化されたＴＣＩ  ｓｔａｔｅに対応するＲＳをｂｅａｍ  ｆａｉｌｕｒｅ  ｄｅｔｅｃｔｉｏｎの測定ＲＳとして用いる。
【００８６】
ネットワークは、ＵＥにＮ個のＣＯＲＥＳＥＴを設定し、ただし、ＣＯＲＥＳＥＴ  ＸにＫ個のＴＣＩ  ｓｔａｔｅｓが設定されている。ネットワークは、ＵＥがＰＤＣＣＨを監視（ｍｏｎｉｔｏｒ）するようにＭ個のサーチスペースＳｅａｒｃｈ  ｓｐａｃｅを設定し、ただし、ＣＯＲＥＳＥＴ  Ｘが１つ又は複数のｓｅａｒｃｈ  ｓｐａｃｅに関連付けられる。
【００８７】
本シナリオでは、採用されるＲＳをどのように指示するかについて、前記第２の通信ユニット３１は、
ネットワーク側がＭＡＣ  ＣＥシグナリングによって有効化された、前記Ｋ個のＴＣＩ情報のうちの１つのＴＣＩ情報が指示するＲＳを受信すること、及び
ネットワーク側がＤＣＩによって有効化された、前記Ｋ個のＴＣＩ情報のうちの１つのＴＣＩ情報が指示するＲＳを受信すること、のいずれかを含む。
【００８８】
具体的には、ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、Ｋ個のＴＣＩ  ｓｔａｔｅｓからどのＴＣＩ  ｓｔａｔｅｓに指示されるＲＳを用いるかを決定する必要があり、その決定方法の選択肢は、
Ｋ個のＴＣＩ  ｓｔａｔｅｓのうち、ＭＡＣ  ＣＥシグナリングの指示によって有効化されたもの、
Ｋ個のＴＣＩ  ｓｔａｔｅｓのうち、ＤＣＩの指示によって有効化されたもの、がある。
【００８９】
［シナリオ２］
１つのＴＣＩ  ｓｔａｔｅｓが１つのＱＣＬ情報を指示するとき、スペース相関ＱＣＬに関連付けられたＲＳをｂｅａｍ  ｆａｉｌｕｒｅ  ｄｅｔｅｃｔｉｏｎの測定ＲＳとして用いる。
【００９０】
第２の通信ユニット３１は、ネットワーク側がＴＣＩに指示した、少なくとも２つのＲＳ情報に対応するＱＣＬ情報を受信し、
ただし、少なくとも２つのＲＳ情報が指示するＲＳは同じ又は異なり、かつ異なるＲＳ情報が異なるＱＣＬパラメータタイプに対応する。
【００９１】
つまり、ネットワークは、ＵＥにＮ個のＣＯＲＥＳＥＴを設定し、ただし、ＣＯＲＥＳＥＴ  Ｘに異なるＱＣＬパラメータタイプに対応する２つのＲＳに対応する１つのＱＣＬ情報を指示する１つのＴＣＩ  ｓｔａｔｅが設定されており、なお、ＱＣＬ情報に含まれる２つのＲＳ情報は同じＲＳを指示してよいが、各ＲＳはそれぞれ異なるＱＣＬパラメータタイプに対応してよい。
【００９２】
１つのＴＣＩ  ｓｔａｔｅが１つのＱＣＬ情報を指示する場合、１つ又は２つのＲＳを設定する可能性があり、各ＲＳに対応するＱＣＬパラメータタイプが異なり、例えば２つのＲＳが１組のＱＣＬ情報を構成し、ＲＳ１がＱＣＬ−ＴｙｐｅＡに対応し、ＲＳ２がＱＣＬ−ＴｙｐｅＤに対応する。
【００９３】
ＱＣＬタイプとしては、以下が挙げられる。
ＱＣＬ−タイプＴｙｐｅＡ：｛ドップラーシフトＤｏｐｐｌｅｒ  ｓｈｉｆｔ、ドップラー範囲Ｄｏｐｐｌｅｒ  ｓｐｒｅａｄ、平均遅延ａｖｅｒａｇｅ  ｄｅｌａｙ、遅延範囲ｄｅｌａｙ  ｓｐｒｅａｄ｝、
ＱＣＬ−タイプＴｙｐｅＢ：｛ドップラーシフトＤｏｐｐｌｅｒ  ｓｈｉｆｔ、ドップラー範囲Ｄｏｐｐｌｅｒ  ｓｐｒｅａｄ｝、
ＱＣＬ−ＴｙｐｅＣ：｛平均遅延ａｖｅｒａｇｅ  ｄｅｌａｙ、ドップラーシフトＤｏｐｐｌｅｒ  ｓｈｉｆｔ｝、
ＱＣＬ−ＴｙｐｅＤ：  ｛スペースＳｐａｔｉａｌ  Ｒｘ  パラメータｐａｒａｍｅｔｅｒ｝。
【００９４】
ネットワークは、ＵＥがＰＤＣＣＨを監視（ｍｏｎｉｔｏｒ）するようにＭ個のＳｅａｒｃｈ  ｓｐａｃｅを設定し、ただし、ＣＯＲＥＳＥＴ  Ｘが１つ又は複数のＳｅａｒｃｈ  ｓｐａｃｅに関連付けられる。
【００９５】
ｂｅａｍ  ｆａｉｌｕｒｅ  ｄｅｔｅｃｔｉｏｎのために、ＵＥがＣＯＲＥＳＥＴ  Ｘに対応するＰＤＣＣＨのリンクの品質を決定する必要があるとき、そのＴＣＩ  ｓｔａｔｅｓに指示される２つのＲＳからどのＲＳを用いるかを決定する必要があり、前記の目標ＴＣＩのうちの１つのＲＳを用いるようにＵＥに指示することについて、前記第２の処理ユニット３２は、
前記目標ＴＣＩに含まれる少なくとも２つのＲＳのうち、スペースＱＣＬパラメータに対応するＲＳを用い、つまり、２つのＲＳのうち、スペースＱＣＬ情報に対応するＲＳを用いること、
前記目標ＴＣＩに含まれる少なくとも２つのＲＳのうち、スペースＱＣＬパラメータに対応しないＲＳを用い、つまり、２つのＲＳのうち、スペースＱＣＬ情報に対応しないＲＳを用いること、
前記目標ＴＣＩに含まれる少なくとも２つのＲＳのうち、ＵＥにＲＳを選択させること、
前記目標ＴＣＩに含まれる少なくとも２つのＲＳのうち、ＲＳの番号によって用いられるＲＳを決定し、例えば、２つのＲＳのうち、ＲＳの番号によってどれを用いるかを決定し、例示的には、ＲＳのうち番号の小さいものを選択してもよいし番号の大きいものを選択してもよく、実際の状況に応じて設定することができること、及び
前記目標ＴＣＩに含まれる少なくとも２つのＲＳのうち、設定シグナリングにおけるＲＳの位置によって用いられるＲＳを決定し、例えば、２つのＲＳのうち、設定シグナリングにおけるＲＳの位置によってどれを用いるかを決定し、例示的には、前に位置するものを決定してもよいし後ろに位置するものを決定してもよいこと、のいずれかを実行することを含む。
【００９６】
前述した解決手段に基づき、ＵＥが、用いるＲＳを取得した後、前記ＲＳはそれを測定することによってその対応するＰＤＣＣＨに対応するリンクの品質が所定の閾値を満たすか否かを決定するために用いられる。
【００９７】
具体的には、ビーム障害回復プロセス（ｂｅａｍ  ｆａｉｌｕｒｅ  ｒｅｃｏｖｅｒｙ）、又はリンク再設定プロセス（Ｌｉｎｋ  ｒｅｃｏｎｆｉｇｕｒａｔｉｏｎ  ｐｒｏｃｅｄｕｒｅｓ）に該ＲＳを用いることができる。例えば、ＵＥはＣＳＩ−ＲＳ及び／又はＳＳ／ＰＢＣＨ  ｂｌｏｃｋを測定することで、対応するＰＤＣＣＨに対応するリンクの品質が所定／設定の閾値（Ｈｙｐｏｔｈｅｔｉｃａｌ  ＢＬＥＲ性能が閾値を下回る）を満たすか否かを判断し、ＵＥはＣＳＩ−ＲＳ及び／又はＳＳ／ＰＢＣＨ  ｂｌｏｃｋによって所定／設定の閾値を満たす新たなｂｅａｍ（Ｌ１−ＲＳＰＲ性能が閾値を上回る）を新たに選択し、ＵＥは新たなｂｅａｍに対応するＰＲＡＣＨを選択して伝送を開始し、又はＰＵＣＣＨによって選択した新たなｂｅａｍを報知し、ＵＥはネットワークの応答を検出する。
【００９８】
さらに、ここで言及されるビーム（Ｂｅａｍ）は、実際にはｂｅａｍにて搬送される信号の情報によって表現されるものであり、実際に使用するとき、ＣＳＩ−ＲＳリソース（ｒｅｓｏｕｒｃｅ）又は同期信号（ＳＳ）ブロック／ＰＢＣＨブロックｂｌｏｃｋ指示ｉｎｄｅｘによって表現されることに留意されたい。
【００９９】
明らかに、上記解決手段を採用することにより、制御リソースセットをＵＥに設定する際に、一部の制御リソースセットのみにＫ個のＴＣＩを設定し、かつＵＥにＫ個のＴＣＩのうちの少なくとも１つのＲＳを指示でき、こうすることにより、ＵＥが全ての制御リソースセット内の全てのＴＣＩに対応するＲＳを測定することを回避し、ＵＥの電力消費を低減でき、かつＵＥによるビーム検出の精度を向上させる。
【０１００】
本開示の実施例は、ユーザ機器ＵＥ、又はネットワーク機器のハードウェア構成アーキテクチャを提供し、図４に示すように、少なくとも１つのプロセッサ４１と、メモリ４２と、少なくとも１つのネットワークインタフェース４３とを含む。各構成要素はバスシステム４４によって結合される。バスシステム４４がこれらの構成要素の間の接続通信を実現するために用いられることが理解できる。バスシステム４４は、データバスの他、電源バス、制御バス及び状態信号バスをさらに含む。しかしながら、説明を明確にするために、図４では全てのバスをバスシステム４４と標記する。
【０１０１】
なお、本開示の実施例におけるメモリ４２は、揮発性メモリであってもよいし又は不揮発性メモリであってもよく、又は揮発性メモリと不揮発性メモリの両方を含んでもよい。
【０１０２】
幾つかの実施形態では、メモリ４２には、実行可能モジュール又はデータ構造、又はそれらのサブセット、又はオペレーティングシステム４２１及びアプリケーションプログラム４２２のようなそれらの拡張セットを記憶している。
【０１０３】
ただし、前記プロセッサ４１は、前述した実施例１又は２の方法のステップを処理できるように設定され、ここで説明を省略する。
【０１０４】
本開示の実施例に係る上記装置は、ソフトウェア機能モジュールの形態で実現され、独立型製品として販売又は使用される場合、コンピュータ読み取り可能な記憶媒体に記憶されてもよい。このような理解に基づき、本開示の実施例の技術的解決手段は本質上、又は従来技術に寄与する部分をソフトウェア製品の形で具現化することができ、該コンピュータソフトウェア製品は記憶媒体に記憶され、幾つかの命令を含み、それにより１台のコンピュータ機器（パーソナルコンピュータ、サーバ、又はネットワーク機器などであってよい）は本開示の各実施例に記載された全て又は一部の方法を実行する。前述した記憶媒体は、Ｕディスク、ポータブルハードディスク、読み取り専用メモリ（ＲＯＭ、Ｒｅａｄ  Ｏｎｌｙ  Ｍｅｍｏｒｙ）、磁気ディスク又は光ディスクなどのプログラムコードを記憶できる様々な媒体を含む。このように、本開示の実施例はいかなる特定のハードウェアとソフトウェアの組み合わせに限定されない。
【０１０５】
本開示の実施例は、コンピュータ記憶媒体を提供し、前記コンピュータ記憶媒体にコンピュータ実行可能命令が記憶されており、前記コンピュータ実行可能命令が実行されるとき、前述した実施例１又は２の方法のステップを実施する。
【０１０６】
例示的な目的のために、本開示の好適な実施例を開示したが、当業者であれば様々な改良、追加及び置き換えを行うこともでき、従って、本開示の範囲は上記実施例に限定されるものではないことを理解されたい。
【手続補正２】
【補正対象書類名】特許請求の範囲
【補正対象項目名】全文
【補正方法】変更
【補正の内容】
【特許請求の範囲】
【請求項１】
ネットワーク機器に適用される参照信号ＲＳの決定方法であって、
Ｎ（１以上の整数）個の制御リソースセットをユーザ機器ＵＥに設定し、前記Ｎ個の制御リソースセットの少なくとも一部の制御リソースセットのうちの各制御リソースセットにそれぞれ少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩ情報の数Ｋが同じ又は異なるステップと、
前記Ｋ個のＴＣＩ情報のうちの少なくとも１つのＲＳを前記ＵＥに指示するステップと、を含む、参照信号ＲＳの決定方法。
【請求項２】
ＵＥが物理ダウンリンク制御チャネルＰＤＣＣＨを検出するためのＭ個のサーチスペースを前記ＵＥに設定し、かつ前記少なくとも一部の制御リソースセットのうちの各制御リソースセットが前記Ｍ個のサーチスペースのうちの少なくとも１つのサーチスペースに関連付けられるステップをさらに含む請求項１に記載の方法。
【請求項３】
前記の前記Ｋ個のＴＣＩ情報のうちの少なくとも１つのＲＳを前記ＵＥに指示することは、
前記Ｋ個のＴＣＩ情報のうち、メディアアクセス制御ＭＡＣ制御ユニットＣＥシグナリングによって有効化されたＴＣＩ情報が指示するＲＳを指示すること、及び
前記Ｋ個のＴＣＩ情報のうち、ダウンリンク制御情報ＤＣＩによって指示されたＴＣＩ情報が指示するＲＳを指示すること、のいずれか一方を含む請求項１又は２に記載の方法。
【請求項４】
少なくとも２つのＲＳ情報に対応する準直交関係ＱＣＬ情報を前記各ＴＣＩ情報に指示するステップをさらに含み、
ただし、少なくとも２つのＲＳ情報が指示するＲＳは同じ又は異なり、かつ異なるＲＳ情報が異なるＱＣＬパラメータタイプに対応する請求項１又は２に記載の方法。
【請求項５】
前記の前記Ｋ個のＴＣＩ情報のうちの少なくとも１つのＲＳを前記ＵＥに指示することは、
前記Ｋ個のＴＣＩ情報のうちの１つの目標ＴＣＩ情報を前記ＵＥに指示し、かつ前記目標ＴＣＩ情報が指示するＲＳを用いるように前記ＵＥに指示することを含む請求項１又は４に記載の方法。
【請求項６】
前記の前記目標ＴＣＩ情報における１つのＲＳを用いるように前記ＵＥに指示することは、
前記目標ＴＣＩ情報に含まれる少なくとも２つのＲＳのうち、スペースＱＣＬパラメータに対応するＲＳを用いること、
前記目標ＴＣＩ情報に含まれる少なくとも２つのＲＳのうち、スペースＱＣＬパラメータに対応しないＲＳを用いること、
前記目標ＴＣＩ情報に含まれる少なくとも２つのＲＳのうち、ＵＥにＲＳを選択させること、
前記目標ＴＣＩ情報に含まれる少なくとも２つのＲＳのうち、ＲＳの番号によって用いられるＲＳを決定すること、及び
前記目標ＴＣＩ情報に含まれる少なくとも２つのＲＳのうち、設定シグナリングにおけるＲＳの位置によって用いられるＲＳを決定すること、のいずれかを含む請求項５に記載の方法。
【請求項７】
前記ＲＳは、それを測定することによってその対応するＰＤＣＣＨに対応するリンクの品質が所定の閾値を満たすか否かを決定するために用いられる請求項１〜６のいずれか一項に記載の方法。
【請求項８】
ユーザ機器ＵＥに適用される参照信号ＲＳの決定方法であって、
ネットワーク側が前記ＵＥに設定したＮ（１以上の整数）個の制御リソースセットを受信し、前記Ｎ個の制御リソースセットの少なくとも一部の制御リソースセットのうちの各制御リソースセットにそれぞれ少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩ情報の数Ｋが同じ又は異なるステップと、
前記ネットワーク側が前記ＵＥに指示した前記Ｋ個のＴＣＩ情報のうちの少なくとも１つのＲＳを受信するステップと、を含む、参照信号ＲＳの決定方法。
【請求項９】
前記ネットワーク側が前記ＵＥに設定したＭ個のサーチスペースを受信し、かつ前記少なくとも一部の制御リソースセットのうちの各制御リソースセットが前記Ｍ個のサーチスペースのうちの少なくとも１つのサーチスペースに関連付けられるステップと、
設定した前記Ｍ個のサーチスペースに基づき、物理ダウンリンク制御チャネルＰＤＣＣＨを検出するステップと、をさらに含む請求項８に記載の方法。
【請求項１０】
前記の前記ネットワーク側が前記ＵＥに指示した前記Ｋ個のＴＣＩ情報のうちの少なくとも１つのＲＳを受信することは、
前記ネットワーク側がメディアアクセス制御ＭＡＣ制御ユニットＣＥシグナリングによって有効化された、前記Ｋ個のＴＣＩ情報のうちの１つのＴＣＩ情報が指示するＲＳを受信すること、及び
前記ネットワーク側がダウンリンク制御情報ＤＣＩによって有効化された、前記Ｋ個のＴＣＩ情報のうちの１つのＴＣＩ情報が指示するＲＳを受信すること、のいずれか一方を含む請求項８又は９に記載の方法。
【請求項１１】
前記ネットワーク側が前記各ＴＣＩ情報に指示した、少なくとも２つのＲＳ情報に対応する準直交関係ＱＣＬ情報を受信するステップをさらに含み、
ただし、少なくとも２つのＲＳ情報が指示するＲＳは同じ又は異なり、かつ異なるＲＳ情報が異なるＱＣＬパラメータタイプに対応する請求項８又は９に記載の方法。
【請求項１２】
前記の前記ネットワーク側が前記ＵＥに指示した前記Ｋ個のＴＣＩ情報のうちの少なくとも１つのＲＳを受信することは、
前記ネットワーク側が前記ＵＥに指示した前記Ｋ個のＴＣＩ情報のうちの１つの目標ＴＣＩ情報を受信すること、及び前記ネットワーク側がＵＥに用いるように指示した前記目標ＴＣＩ情報が指示する１つのＲＳを受信することを含む請求項８又は１１に記載の方法。
【請求項１３】
前記の前記ネットワーク側が前記目標ＴＣＩ情報のうちの１つのＲＳを用いるようにＵＥに指示することは、
前記目標ＴＣＩ情報に含まれる少なくとも２つのＲＳのうち、スペースＱＣＬパラメータに対応するＲＳを用いること、
前記目標ＴＣＩ情報に含まれる少なくとも２つのＲＳのうち、スペースＱＣＬパラメータに対応しないＲＳを用いること、
前記目標ＴＣＩ情報に含まれる少なくとも２つのＲＳのうち、ＵＥが自らＲＳを選択すること、
前記目標ＴＣＩ情報に含まれる少なくとも２つのＲＳのうち、ＲＳの番号によって用いるＲＳを決定すること、及び
前記目標ＴＣＩ情報に含まれる少なくとも２つのＲＳのうち、設定シグナリングにおけるＲＳの位置によって用いられるＲＳを決定すること、のいずれかを含む請求項１２に記載の方法。
【請求項１４】
前記ＲＳは、それを測定することによってその対応するＰＤＣＣＨに対応するリンクの品質が所定の閾値を満たすか否かを決定するために用いられる請求項８〜１３のいずれか一項に記載の方法。
【請求項１５】
ネットワーク機器であって、
Ｎ（１以上の整数）個の制御リソースセットをユーザ機器ＵＥに設定し、前記Ｎ個の制御リソースセットの少なくとも一部の制御リソースセットのうちの各制御リソースセットにそれぞれ少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩ情報の数Ｋが同じ又は異なり、前記Ｋ個のＴＣＩ情報のうちの少なくとも１つのＲＳを前記ＵＥに指示する第１の通信ユニットを含む、ネットワーク機器。
【請求項１６】
前記第１の通信ユニットは、ＵＥが物理ダウンリンク制御チャネルＰＤＣＣＨを検出するためのＭ個のサーチスペースを前記ＵＥに設定し、かつ前記少なくとも一部の制御リソースセットのうちの各制御リソースセットが前記Ｍ個のサーチスペースのうちの少なくとも１つのサーチスペースに関連付けられる請求項１５に記載のネットワーク機器。
【請求項１７】
前記の前記ＵＥに指示した前記Ｋ個のＴＣＩ情報のうちの少なくとも１つのＲＳは、
前記Ｋ個のＴＣＩ情報のうち、メディアアクセス制御ＭＡＣ制御ユニットＣＥシグナリングによって有効化されたＴＣＩ情報が指示するＲＳ、及び
前記Ｋ個のＴＣＩ情報のうち、ダウンリンク制御情報ＤＣＩによって指示されたＴＣＩ情報が指示するＲＳのいずれか一方を含む請求項１５又は１６に記載のネットワーク機器。
【請求項１８】
前記第１の通信ユニットは、少なくとも２つのＲＳ情報に対応する準直交関係ＱＣＬ情報を前記各ＴＣＩ情報に指示し、
ただし、少なくとも２つのＲＳ情報が指示するＲＳは同じ又は異なり、かつ異なるＲＳ情報が異なるＱＣＬパラメータタイプに対応する請求項１５又は１６に記載のネットワーク機器。
【請求項１９】
前記第１の通信ユニットは、前記Ｋ個のＴＣＩ情報のうちの１つの目標ＴＣＩ情報を前記ＵＥに指示し、かつ前記目標ＴＣＩ情報が指示するＲＳを用いるように前記ＵＥに指示する請求項１５又は１８に記載のネットワーク機器。
【請求項２０】
前記第１の通信ユニットは、
前記目標ＴＣＩ情報に含まれる少なくとも２つのＲＳのうち、スペースＱＣＬパラメータに対応するＲＳを用いること、
前記目標ＴＣＩ情報に含まれる少なくとも２つのＲＳのうち、スペースＱＣＬパラメータに対応しないＲＳを用いること、
前記目標ＴＣＩ情報に含まれる少なくとも２つのＲＳのうち、ＵＥにＲＳを選択させること、
前記目標ＴＣＩ情報に含まれる少なくとも２つのＲＳのうち、ＲＳの番号によって用いられるＲＳを決定すること、及び
前記目標ＴＣＩ情報に含まれる少なくとも２つのＲＳのうち、設定シグナリングにおけるＲＳの位置によって用いられるＲＳを決定すること、のいずれかを含む請求項１９に記載のネットワーク機器。
【請求項２１】
前記ＲＳは、それを測定することによってその対応するＰＤＣＣＨに対応するリンクの品質が所定の閾値を満たすか否かを決定するために用いられる請求項１５〜２０のいずれか一項に記載のネットワーク機器。
【請求項２２】
ユーザ機器ＵＥであって、
ネットワーク側が前記ＵＥに設定したＮ（１以上の整数）個の制御リソースセットを受信し、前記Ｎ個の制御リソースセットの少なくとも一部の制御リソースセットのうちの各制御リソースセットにそれぞれ少なくとも１つのＲＳを指示するＫ（１以上の整数）個の伝送設定指示ＴＣＩ情報を設定し、かつ少なくとも一部の制御リソースセットにおける異なる制御リソースセットに設定したＴＣＩ情報の数Ｋが同じ又は異なり、前記ネットワーク側が前記ＵＥに指示した前記Ｋ個のＴＣＩ情報のうちの少なくとも１つのＲＳを受信する第２の通信ユニットを含む、ＵＥ。
【請求項２３】
前記第２の通信ユニットは、前記ネットワーク側が設定したＭ個のサーチスペースを受信し、かつ前記少なくとも一部の制御リソースセットのうちの各制御リソースセットが前記Ｍ個のサーチスペースのうちの少なくとも１つのサーチスペースに関連付けられ、
前記ＵＥは、
設定した前記Ｍ個のサーチスペースに基づき、物理ダウンリンク制御チャネルＰＤＣＣＨを検出する第２の処理ユニットをさらに含む、請求項２２に記載のＵＥ。
【請求項２４】
前記第２の通信ユニットは、
前記ネットワーク側がメディアアクセス制御ＭＡＣ制御ユニットＣＥシグナリングによって有効化された、前記Ｋ個のＴＣＩ情報のうちの１つのＴＣＩ情報が指示するＲＳを受信すること、及び
前記ネットワーク側がダウンリンク制御情報ＤＣＩによって有効化された、前記Ｋ個のＴＣＩ情報のうちの１つのＴＣＩ情報が指示するＲＳを受信すること、のいずれか一方を含む請求項２２又は２３に記載のＵＥ。
【請求項２５】
前記第２の通信ユニットは、前記ネットワーク側が前記各ＴＣＩに指示した、少なくとも２つのＲＳ情報に対応する準直交関係ＱＣＬ情報を受信し、
ただし、少なくとも２つのＲＳ情報が指示するＲＳは同じ又は異なり、かつ異なるＲＳ情報が異なるＱＣＬパラメータタイプに対応する請求項２２又は２３に記載のＵＥ。
【請求項２６】
前記第２の通信ユニットは、
前記ネットワーク側が指示した前記Ｋ個のＴＣＩ情報のうちの１つの目標ＴＣＩ情報を受信し、及び前記ネットワーク側が用いるように指示した前記目標ＴＣＩ情報が指示する１つのＲＳを受信する請求項２２又は２５に記載のＵＥ。
【請求項２７】
前記目標ＴＣＩ情報に含まれる少なくとも２つのＲＳのうち、スペースＱＣＬパラメータに対応するＲＳを用いること、
前記目標ＴＣＩ情報に含まれる少なくとも２つのＲＳのうち、スペースＱＣＬパラメータに対応しないＲＳを用いること、
前記目標ＴＣＩ情報に含まれる少なくとも２つのＲＳのうち、自らＲＳを選択すること、
前記目標ＴＣＩ情報に含まれる少なくとも２つのＲＳのうち、ＲＳの番号によって用いられるＲＳを決定すること、及び
前記目標ＴＣＩ情報に含まれる少なくとも２つのＲＳのうち、設定シグナリングにおけるＲＳの位置によって用いられるＲＳを決定すること、のいずれかを実行するための第２の処理ユニットをさらに含む請求項２６に記載のＵＥ。
【請求項２８】
前記ＲＳは、それを測定することによってその対応するＰＤＣＣＨに対応するリンクの品質が所定の閾値を満たすか否かを決定するために用いられる請求項２２〜２７のいずれか一項に記載のＵＥ。
【請求項２９】
コンピュータ記憶媒体であって、
コンピュータ実行可能命令が記憶され、前記コンピュータ実行可能命令が実行されるとき、請求項１〜１４のいずれか一項に記載の方法のステップを達成する、コンピュータ記憶媒体。
【手続補正３】
【補正対象書類名】図面
【補正対象項目名】図１
【補正方法】変更
【補正の内容】
【図１】
2021520654.tif 000007
【手続補正４】
【補正対象書類名】図面
【補正対象項目名】図２
【補正方法】変更
【補正の内容】
【図２】
2021520654.tif 000008
【国際調査報告】
2021520654.tif 000009
2021520654.tif 000010
2021520654.tif 000011
2021520654.tif 000012